(57)【要約】      （修正有）【課題】排気浄化触媒から流出する排ガス中に含まれる特定成分の排出量（あるいは、排ガスの状態を表す代表値）を推定し、その推定値に基づいて空燃比の制御を行うことにより、排気浄化触媒による排ガスの浄化効率を向上し得る内燃機関の空燃比制御装置を提供する。【解決手段】エンジン１の排気通路７上に配設された排気浄化触媒１９に流入する排ガスの排気空燃比に基づいて、前記排気浄化触媒から流出する排ガス中に含まれる少なくとも一つの特定成分の排出量又は流出する排ガスの状態を示す少なくとも一つの代表値であって、リッチ空燃比時に排出量が増加する成分に関連する少なくとも一つの推定値とリーン空燃比時に排出量が増加する成分に関連する少なくとも一つの推定値とを推定し、前記各推定値毎に目標状態を設定し、前記各推定値が前記各推定値毎の目標状態となるように空燃比を制御する。【選択図】図１
2010059971.tif 000002
【特許請求の範囲】
【請求項１】
内燃機関の排気通路上に配設された排気浄化触媒に流入する排ガスの排気空燃比に基づいて、前記排気浄化触媒から流出する排ガス中に含まれる少なくとも一つの特定成分の排出量又は流出する排ガスの状態を示す少なくとも一つの代表値であって、リッチ空燃比時に排出量が増加する成分に関連する少なくとも一つの推定値とリーン空燃比時に排出量が増加する成分に関連する少なくとも一つの推定値とを推定する推定手段と、
前記推定手段によって推定される前記各推定値毎に目標状態を設定する目標設定手段と、
前記推定手段によって推定される前記各推定値が前記目標設定手段によって設定された前記各推定値毎の目標状態となるように空燃比を制御する空燃比制御手段とを備えたことを特徴とする内燃機関の空燃比制御装置。
【請求項２】
請求項１に記載の内燃機関の空燃比制御装置において、
前記推定手段によって推定される推定値が、所定時間後における排出量又は代表値を予測したものであることを特徴とする空燃比制御装置。
【請求項３】
請求項２に記載の内燃機関の空燃比制御装置において、
前記内燃機関の点火時期を制御する点火時期制御手段をさらに備え、かつ、前記空燃比制御手段が前記内燃機関の吸入空気量を調節するスロットルバルブの開度を任意に制御しえる機能を有しており、
前記推定手段による所定時間後の前記推定値が所定の目標状態となるように前記空燃比制御手段を用いて空燃比を制御するに際して、前記空燃比制御手段によってスロットルバルブの開制御を遅延させるとともに、前記点火時期制御手段によって点火時期を進角させることを特徴とする空燃比制御装置。
【請求項４】
請求項１乃至請求項３の何れか一項に記載の内燃機関の空燃比制御装置において、
前記目標設定手段によって設定される目標状態が、前記推定値を所定範囲内とすることであることを特徴とする空燃比制御装置。
【請求項５】
請求項１に記載の内燃機関の空燃比制御装置において、
前記目標設定手段が、各推定値毎が等しくなる状態を目標状態として設定することを特徴とする空燃比制御装置。
【請求項６】
請求項３に記載の内燃機関の空燃比制御装置において、
前記推定手段が、スロットル開度の開度予測値を前記推定値の推定に反映させることを特徴とする空燃比制御装置。
【請求項７】
請求項３に記載の内燃機関の空燃比制御装置において、
前記推定手段が、燃料挙動モデルを前記推定値の推定に反映させることを特徴とする空燃比制御装置。
【請求項８】
請求項１に記載の内燃機関の空燃比制御装置において、
前記排気浄化触媒から流出する排ガスの排気空燃比を検出する下流側空燃比センサと、前記推定手段によって推定された前記推定値及び前記下流側空燃比センサの検出結果に基づいて前記推定値の推定モデルを補正する推定モデル補正手段とをさらに備えていることを特徴とする空燃比制御装置。
【請求項９】
請求項１に記載の内燃機関の空燃比制御装置において、
前記排気浄化触媒から流出する排ガスの排気空燃比を検出する下流側空燃比センサと、前記推定手段によって推定された前記推定値及び前記下流側空燃比センサの検出結果に基づいて前記下流側空燃比センサの診断を行うセンサ診断手段とをさらに備えていることを特徴とする空燃比制御装置。
【請求項１０】
請求項１に記載の内燃機関の空燃比制御装置において、
前記排気通路上に前記排気浄化触媒として上流側排気浄化触媒及び下流側排気浄化触媒が配設されており、
前記推定手段は、前記上流側排気浄化触媒及び前記下流側排気浄化触媒の双方について推定値を推定することを特徴とする空燃比制御装置。
【請求項１１】
請求項１０に記載の内燃機関の空燃比制御装置において、
前記上流側排気浄化触媒から流出して前記下流側排気浄化触媒に流入する排ガスの排気空燃比を検出する中間部空燃比センサをさらに備え、
前記空燃比制御手段は、前記上流側排気浄化触媒についての前記推定値と前記中間部空燃比センサの検出結果とに基づいて、前記上流側排気浄化触媒から流出して前記下流側排気浄化触媒に流入する排ガスの排気空燃比を制御することを特徴とする空燃比制御装置。
【請求項１２】
請求項１０に記載の内燃機関の空燃比制御装置において、
前記上流側排気浄化触媒についての前記推定値が排ガス中の酸素過不足量に関するものであり、
前記目標設定手段は、前記下流側排気浄化触媒に流入する排ガス中の前記酸素過不足量の積算値がゼロとなるように前記推定値の目標状態を設定することを特徴とする空燃比制御装置。
【発明の詳細な説明】
【技術分野】
【０００１】
本発明は、内燃機関の空燃比制御装置に関する。
【背景技術】
【０００２】
従来より、内燃機関の排ガスを浄化するため、排気浄化触媒（三元触媒）を排気通路上に配設し、排気通路に設けた空燃比センサにより検出される空燃比に基づいて機関に供給される混合気の空燃比が理論空燃比となるようにフィードバック制御を行っている。これにより、窒素酸化物NOx、一酸化炭素CO、及び炭化水素HCが同時に低減される。内燃機関から排出される排ガスの浄化率を向上させるには、上述したフィードバック制御を精度良く行うことが有効である。
【０００３】
また、更なる排気浄化性能の向上のため、排気浄化触媒の酸素吸蔵作用を効果的に利用する方法が検討されて来ている。この方法は、排ガス中の浄化すべき物質を酸化還元する際に、排気浄化触媒に吸蔵した酸素や排気浄化触媒の吸蔵機能を利用する。
【０００４】
従来の内燃機関の空燃比制御装置は、このような酸素吸蔵作用に着目してなされた装置であって、排気浄化触媒全体に吸蔵される酸素量（酸素吸蔵量、酸素の実際充填度）を、吸入空気流量、空気中の酸素の含有量、及びラムダ値１（理論空燃比）からの偏差の積に基づいて推定し、この酸素吸蔵量をある固定された目標値となるように空燃比を制御するようになっている（特許文献１を参照。）。
【先行技術文献】
【特許文献】
【０００５】
【特許文献１】特開平５−１９５８４２号公報
【発明の概要】
【０００６】
しかしながら、上述した制御は酸素吸蔵量を目標値近傍に維持しようとする制御であり、排ガス中の着目した一つ又は複数の特定の成分の排出量を所望の値以下とするような空燃比制御、或いは、触媒全体の酸素吸蔵量ではなく同触媒の上流部分までにおける酸素吸蔵量を所望の値近傍に維持しようとする空燃比制御を行うことができない等の問題がある。
【０００７】
そこで、発明者は、排気浄化触媒から流出する（排気浄化触媒により浄化される）排ガス中に含まれる特定成分の排出量（あるいは、排ガスの状態を表す代表値）を推定する手法を開発するとともに、この推定値を所定の目標状態とするように空燃比制御を行うことにより排気浄化性能を向上しえることを見い出した。
【０００８】
本発明の目的は、排気浄化触媒から流出する排ガス中に含まれる特定成分の排出量（あるいは、排ガスの状態を表す代表値）を推定し、その推定値に基づいて空燃比の制御を行うことにより、排気浄化触媒による排ガスの浄化効率を向上し得る内燃機関の空燃比制御装置を提供することにある。
【０００９】
本発明による空燃比制御装置により空燃比が制御される内燃機関は、その排気通路上に排気浄化触媒を備えている。そして、空燃比制御装置は、その排気浄化触媒に流入する排ガスの排気空燃比に基づいて、同排気浄化触媒から流出する排ガス中に含まれる少なくとも一つの特定成分の排出量又は流出する排ガスの状態を示す少なくとも一つの代表値である推定値を推定する推定手段と、前記推定手段によって推定される推定値についての目標状態を設定する目標設定手段と、前記推定手段によって推定される推定値が前記目標設定手段によって設定された目標状態となるように空燃比を制御する空燃比制御手段とを備えている。
【００１０】
これにより、排気浄化触媒から流出する排ガス中に含まれる少なくとも一つの特定成分の排出量又は流出する排ガスの状態を示す少なくとも一つの代表値である推定値が目標状態となるように、空燃比が制御されるので、排気浄化性能を向上することが可能となる。
【００１１】
また、本発明の一態様において、前記推定手段によって推定される推定値は、所定時間後における（即ち、現時点から所定時間後における時点での）排出量又は代表値を予測したものである。これにより、より迅速な空燃比の制御が可能となり、排気浄化性能を向上することができる。
【００１２】
本発明の他の態様においては、前記空燃比制御装置が、前記内燃機関の点火時期を制御する点火時期制御手段をさらに備え、かつ、前記空燃比制御手段が前記内燃機関の吸入空気量を調節するスロットルバルブの開度を任意に制御しえる機能を有しており、前記推定手段による所定時間後の前記推定値が所定の目標状態となるように前記空燃比制御手段を用いて空燃比を制御するに際して、前記空燃比制御手段によってスロットルバルブの開制御を遅延させるとともに、前記点火時期制御手段によって点火時期を進角させるように構成される。
【００１３】
これにより、エンジントルクの低下を抑制しながら、空燃比制御による排気浄化性能の向上を達成することができる。
【００１４】
本発明の他の態様においては、前記推定手段が、リッチ空燃比時に排出量が増加する成分に関連する少なくとも一つの推定値と、リーン空燃比時に排出量が増加する成分に関連する少なくとも一つの推定値とを推定し、前記目標設定手段が、各推定値毎に目標状態を設定する。
【００１５】
また、この空燃比制御装置において、前記目標設定手段によって設定される目標状態は、前記推定値を所定範囲内とすることであってもよい。
また、前記目標設定手段は、各推定値毎が等しくなる状態を目標状態として設定してもよい。
また、前記推定手段は、スロットル開度の開度予測値を前記推定値の推定に反映させてもよい。
また、前記推定手段は、燃料挙動モデルを前記推定値の推定に反映させてもよい。
【００１６】
本発明の他の態様において、前記推定手段が、前記排気浄化触媒を排ガスの流れ方向に複数の領域に分割したうちの特定領域について前記推定値を推定し、前記目標設定手段が、前記特定領域についての推定値に対する目標状態を設定し、前記空燃比制御手段が、前記特定領域についての推定値が同特定領域に対して設定された前記目標状態となるように空燃比を制御するように構成されていてもよい。
【００１７】
これによれば、特定領域での排ガスの状態を所望の状態に近づけることができる。
【００１８】
また、前記推定手段は、前記分割された複数の領域のうちの最も下流側の領域よりも上流側に前記特定領域を設定するように構成されてもよい。
【００１９】
これによれば、より上流側の特定領域の推定値が空燃比制御の対象となるので、迅速な空燃比制御が可能となるとともに、特定領域での制御結果が目標状態と異なったとしても、特定領域から下流の領域の触媒作用により排ガスを浄化することができるので、排気浄化性能を向上することができる。
【００２０】
この場合、前記推定手段は、前記内燃機関の運転状態に応じて前記特定領域を変更するように構成されてもよく、これにより、排気浄化性能を一層向上することができる。
【００２１】
また、前記推定手段が、前記特定領域として二つの領域を選択して各推定値を推定し、前記目標設定手段が、各特定領域についてそれぞれ前記推定値の目標状態を設定し、前記空燃比制御手段が、各特定領域の各推定値が各目標状態となるように空燃比を制御するように構成されてもよい。これにより、より綿密な空燃比制御が可能となるので、排気浄化性能を一層向上することができる。
【００２２】
また、このように特定領域を複数選択する場合、更に綿密な空燃比制御を行うため、前記空燃比制御手段が、各特定領域毎に空燃比制御に対する影響度を個別に設定するように構成されてもよい。
【００２３】
更に、前記空燃比制御手段は、各特定領域毎の前記影響度を前記内燃機関の運転状態に応じて変更するように構成されてもよい。
【００２４】
本発明の他の態様においては、空燃比制御装置が、前記排気浄化触媒から流出する排ガスの排気空燃比を検出する下流側空燃比センサと、前記推定手段によって推定された前記推定値及び前記下流側空燃比センサの検出結果に基づいて前記推定値の推定モデルを補正する推定モデル補正手段とをさらに備えている。これにより、推定モデルによる推定値の推定精度が向上する。
【００２５】
本発明の他の態様においては、空燃比制御装置が、前記排気浄化触媒から流出する排ガスの排気空燃比を検出する下流側空燃比センサと、前記推定手段によって推定された前記推定値及び前記下流側空燃比センサの検出結果に基づいて前記下流側空燃比センサの診断を行うセンサ診断手段とをさらに備えている。これにより。センサの診断を行うことができる。
【００２６】
本発明の他の態様において、排気通路上に前記排気浄化触媒として上流側排気浄化触媒及び下流側排気浄化触媒が配設されている場合、前記推定手段は、前記上流側排気浄化触媒及び前記下流側排気浄化触媒の双方について推定値を推定する。
【００２７】
この場合おいて、空燃比制御装置が、前記上流側排気浄化触媒から流出して前記下流側排気浄化触媒に流入する排ガスの排気空燃比を検出する中間部空燃比センサをさらに備える場合、前記空燃比制御手段は、前記上流側排気浄化触媒についての前記推定値と前記中間部空燃比センサの検出結果とに基づいて、前記上流側排気浄化触媒から流出して前記下流側排気浄化触媒に流入する排ガスの排気空燃比を制御するように構成されることが好適である。
【００２８】
また、前記上流側排気浄化触媒についての前記推定値が排ガス中の酸素過不足量に関するものであり、前記目標設定手段は、前記下流側排気浄化触媒に流入する排ガス中の前記酸素過不足量の積算値がゼロとなるように前記推定値の目標状態を設定するように構成されることが好適である。
【００２９】
本発明は、また、流入するガスが通過する空間と、同空間に露呈するとともに触媒機能をもたらす物質及び酸素吸蔵放出機能をもたらす物質を担持したコート層と、を含んでなる排気浄化触媒を排気通路に配設した内燃機関の空燃比制御装置であって、前記排気浄化触媒の一部又は全部を通過した前記機関の排ガスに含まれる特定成分の排出量に応じた値を推定値として推定する推定手段と、前記推定手段によって推定される推定値の少なくとも一つが所定の目標状態となるように、前記排気浄化触媒に流入する排ガスの空燃比を制御する空燃比制御手段と、を備えた内燃機関の空燃比制御装置を提供する。
【００３０】
これによれば、推定された排ガス中の特定成分の排出量（濃度等）に応じた空燃比制御がなされるので、排気浄化性能が向上する。
【００３１】
この場合、前記特定成分は、前記排気浄化触媒に流入する前記機関の排ガスに含まれるとともに還元機能を有するリダクション成分及び同排ガスに含まれるとともに同リダクション成分に酸素を供給し得るストレージ成分のうちの少なくとも一つの成分であり、前記推定手段は、前記特定成分の物質収支を考慮して形成された推定モデルに基づいて前記推定値を推定するように構成され得る。
【００３２】
さらに、前記推定手段のモデルは、前記排気浄化触媒を排ガスの流れ方向に複数の領域に分割したうちの特定領域に着目し、同特定領域の前記空間に流入する前記特定成分の量と同特定領域の空間から流出する同特定成分の量、及び同特定領域の空間から同特定領域の前記コート層に拡散する同特定成分の量に基づいて形成され得る。
【００３３】
さらに、前記推定手段の推定モデルは、前記特定領域の空間から前記特定領域のコート層に拡散する前記特定成分の量と同コート層で消費される同特定成分の量とに基づいて形成され得る。
【００３４】
このようなモデルにより特定成分の排出量を推定する場合、前記特定成分は、酸素、又は酸素と一酸化炭素とすることが計算上簡便である。
【図面の簡単な説明】
【００３５】
【図１】本発明の制御装置の実施形態を有する内燃機関を示す断面図である。
【図２】図１に示した排気浄化触媒の外観図である。
【図３】図２に示した排気浄化触媒の部分断面図である。
【図４】本発明における推定モデル（触媒モデル）を説明するための模式図である。
【図５】本発明における推定モデルを説明するための模式図である。
【図６】本発明における推定モデルで使用される風上法を説明するための模式図である。
【図７】本発明による推定モデルにしたがって排ガス中の酸素濃度を求めるためのプログラムを示したフローチャートである。
【図８】本発明による推定モデルにしたがって排ガス中の一酸化炭素濃度を求めるためのプログラムを示したフローチャートである。
【図９】本発明による推定モデルにしたがって排ガス中の炭化水素濃度を求めるためのプログラムを示したフローチャートである。
【図１０】本発明による推定モデルにしたがって排ガス中の窒素酸化物（一酸化窒素）濃度を求めるためのプログラムを示したフローチャートである。
【図１１】本発明による推定モデルにしたがって酸素吸蔵密度を求めるためのプログラムを示したフローチャートである。
【図１２】触媒劣化度と触媒温度から係数Kstor,i、Krel,iを求めるためのマップである。
【図１３】排気浄化触媒に流入する一酸化炭素濃度を決定するために使用される排気空燃比と同一酸化炭素濃度との関係を規定したマップ（テーブル）である。
【図１４】排気浄化触媒に流入する炭化水素濃度と排気空燃比との関係を示したグラフである。
【図１５】排気浄化触媒に流入する炭化水素濃度と排気温度との関係を示したグラフである。
【図１６】排気浄化触媒に流入する一酸化窒素濃度と排気空燃比との関係を示したグラフである。
【図１７】排気浄化触媒に流入する一酸化窒素濃度と筒内吸入空気量との関係を規定したグラフである。
【図１８】本発明の制御装置の第一実施形態における空燃比制御のフローチャートである。
【図１９】CgoutO2とフィードバック補正量との関係を示すマップである。
【図２０】本発明の制御装置の第二実施形態における空燃比制御のフローチャートである。
【図２１】本発明の制御装置の第三実施形態における空燃比制御のフローチャートである。
【図２２】本発明の制御装置の第四実施形態における空燃比制御のフローチャートである。
【図２３】本発明の制御装置の第五実施形態における空燃比制御のフローチャートである。
【図２４】本発明の制御装置の第六実施形態における空燃比制御のフローチャートである。
【図２５】本発明の制御装置の第七実施形態における空燃比制御のフローチャートである。
【図２６】運転状態が吸入空気量である場合の同運転状態と特定領域の位置との関係を示すマップである。
【図２７】運転状態がアクセル開度の変化量（Δアクセル開度）である場合の同運転状態と特定領域の位置との関係を示すマップである。
【図２８】運転状態が触媒の活性状態である場合の同運転状態と特定領域の位置との関係を示すマップである。
【図２９】運転状態が空燃比の変動量（ΔA／F）である場合の同運転状態と特定領域の位置との関係を示すマップである。
【図３０】本発明の制御装置の第八実施形態における空燃比制御のフローチャートである。
【図３１】本発明の制御装置の第九実施形態における空燃比制御のフローチャートである。
【図３２】特定領域の位置と制御ゲインＧ１，Ｇ２との関係を示すマップである。
【図３３】本発明の制御装置の第十実施形態における空燃比制御のフローチャートである。
【図３４】本発明の制御装置の第十一実施形態における空燃比制御のフローチャートである。
【図３５】本発明の第十二実施形態及び第十三実施形態にかかる内燃機関を示す図である。
【図３６】本発明の制御装置の第十二実施形態における空燃比制御のフローチャートである。
【図３７】本発明の制御装置の第十三実施形態における空燃比制御のフローチャートである。
【発明を実施するための形態】
【００３６】
以下、本発明による空燃比制御装置の実施形態について図面を参照しつつ説明する。図１は、かかる空燃比制御装置を有する内燃機関の構成を示している。この空燃比制御装置は内燃機関であるエンジン１を制御するものである。
【００３７】
エンジン１は多気筒エンジンであり、図１においては、その一気筒のみが断面図で示されている。このエンジン１は、点火プラグ２によって各シリンダ３内の混合気に対して点火を行うことにより駆動力を発生するようになっている。エンジン１は、吸気通路４を介して外部から吸入された空気とインジェクタ５から噴射された燃料とを混合することで形成される混合気をシリンダ３内に吸入するようになっている。吸気バルブ６は、シリンダ３の内部と吸気通路４との間を開閉するようになっている。排気通路７は、シリンダ３の内部で燃焼された混合気を排ガスとして排気する通路である。排気バルブ８は、シリンダ３の内部と排気通路７との間を開閉するようになっている。
【００３８】
スロットルバルブ９は、シリンダ３内に吸入される吸入空気量を調節するためのものであって、吸気通路４に配設されている。このスロットルバルブ９には、その開度を検出するスロットルポジションセンサ１０が接続されている。また、スロットルバルブ９は、スロットルモータ１１と連結されており、スロットルモータ１１の駆動力により開閉されるようになっている。アクセルポジションセンサ１２は、スロットルバルブ９の近傍に配設され、アクセルペダルの操作量（アクセル開度）を検出するようになっている。これらの構成に基き、スロットルバルブ９の開度は電子的に制御されるようになっている。即ち、本エンジン１には、電子制御スロットル方式が採用されている。
【００３９】
また、エンジン１は、吸入空気量（吸入空気流量）を検出するエアフローメータ１３、クランクシャフトの位置を検出することでシリンダ３内のピストン１５の位置やエンジン回転速度NEを求める信号を発生するクランクポジションセンサ１４、同エンジン１のノッキングを検出するノックセンサ１６、及び冷却水温を検出する水温センサ１７を備えている。
【００４０】
排気浄化触媒（触媒コンバータ、以下、単に「触媒」と称呼することもある。）１９は、排気通路７に配設されている。このような触媒は、排気通路上に複数設けられる場合もある。例えば、排気の流れに対して直列に複数設けられる場合や、排気通路が分岐されている構成を備えるエンジンに対しては、各分岐した排気通路に備えられる場合（より具体的には、４気筒エンジンにおいて、２気筒の排気管が一つにまとめられた箇所に触媒が一つ配置され、残りの２気筒の排気管が一つにまとめられた箇所にもう一つの触媒が配置される場合）である。本実施形態においては、各シリンダ３の排気管が一つにまとめられた箇所よりも下流側に一つの触媒１９が配設されている。
【００４１】
エンジン１は、更に、触媒１９の温度を測定する触媒温度センサ２１、チャコールキャニスタ２３、チャコールキャニスタ２３に捕集された燃料タンクからの蒸発燃料を吸気通路４にパージさせるパージコントロールバルブ２４、触媒１９の上流側に取り付けられた上流側空燃比センサ２５、及び触媒１９の下流側に取り付けられた下流側空燃比センサ２６を備えている。
【００４２】
前記空燃比センサ２５，２６は、各取付位置における排ガス中の酸素濃度から同排ガスの空燃比（排ガスの排気空燃比、排気空燃比）をそれぞれ検出するようになっている。空燃比センサ２５は、空燃比をリニアに検出するリニア空燃比センサであり、空燃比センサ２６は、空燃比がリッチであるかリーンであるかを識別する濃淡電池型センサである。
【００４３】
上述した点火プラグ２、インジェクタ５、スロットルポジションセンサ１０、スロットルモータ１１、アクセルポジションセンサ１２、エアフローメータ１３、クランクポジションセンサ１４、ノックセンサ１６、水温センサ１７、触媒温度センサ２１、パージコントロールバルブ２４、上流側空燃比センサ２５、及び下流側空燃比センサ２６は、エンジン１を制御する電子制御ユニット（ＥＣＵ）１８と接続されていて、ＥＣＵ１８からの信号に基づいて制御され、或いは、検出結果をＥＣＵ１８に対して送出するようになっている。
【００４４】
ＥＣＵ１８は、演算を行うＣＰＵ、演算結果などの各種情報を記録するＲＡＭ、バッテリによって記憶内容が保持されるバックアップＲＡＭ、及び制御プログラム等を格納したＲＯＭを備えていて、各種演算を行い、インジェクタ５から噴射する燃料噴射量の制御、点火時期の制御、酸素吸蔵量の算出、後述するモデル補正、及び上記センサの診断等を行うようになっている。
【００４５】
（触媒の酸素吸蔵作用）
次に、触媒１９の構成及び酸素吸蔵作用について説明する。
【００４６】
触媒１９は、図２に外観を示したように、断面が楕円形（断面積がdA一定）の柱状のモノリス触媒コンバータと称呼される三元触媒であり、軸に直交する平面で同触媒１９を切断した拡大断面図である図３に示したように、セラミックの一種であるコージェライトからなる担体１９ａにより、その内部が軸方向に延在する軸線方向空間に細分されている。各軸線方向空間は、軸線に垂直な平面で切断すると略正方形状を有していて、セルとも称呼される。担体１９ａは、アルミナのコート層１９ｂによりコーティングされていて、同コート層１９ｂは白金（Pt）等の貴金属からなる活性成分（触媒成分）及びセリア（CeO2）等の成分を担持している。
【００４７】
かかる触媒１９は、同触媒１９に流入するガスの空燃比が理論空燃比のときに未燃成分（ＨＣ,ＣＯ）を酸化し、同時に窒素酸化物（ＮＯｘ）を還元する機能（これを「触媒機能」又は「酸化還元機能」と云う。）を有する。また、触媒１９は、上記セリア等の成分を担持することにより、同触媒１９に流入する排ガス中の酸素分子を吸蔵（貯蔵，吸着）及び放出する性質（以下、「酸素吸蔵機能」と称呼する。）を有していて、この酸素吸蔵機能により、空燃比が理論空燃比からある程度まで偏移したとしても、ＨＣ,ＣＯ、及びＮＯｘを浄化することができる。
【００４８】
即ち、触媒１９は、機関の吸入する混合気の空燃比（以下、単に「機関の空燃比」とも称呼する。この機関の空燃比は触媒に流入するガスの空燃比である「排気空燃比」と等しい。）がリーンとなって触媒１９に流入するガスに過剰の酸素及び窒素酸化物ＮＯｘが多量に含まれると、同過剰の酸素を吸蔵するとともに、同窒素酸化物ＮＯｘから酸素を奪って（ＮＯｘを還元して）同酸素を吸蔵し、これによりＮＯｘを浄化する。また、触媒１９は、機関の空燃比がリッチになって同触媒１９に流入するガスに炭化水素ＨＣや一酸化炭素ＣＯ等の未燃成分が多量に含まれると、内部に吸蔵している酸素分子をこれらの未燃成分に与えて同未燃成分を酸化し、これによりＨＣ,ＣＯを浄化する。
【００４９】
従って、触媒１９が酸素を吸蔵し得る限界まで酸素を吸蔵していると（換言すれば、酸素吸蔵量OSAが最大酸素吸蔵量OSAmax＝Ｃmaxに到達していると）、同触媒１９に流入するガスの排気空燃比がリーンとなったときに酸素を吸蔵することができないので、排ガス中のＮＯｘを充分に浄化できなくなる。一方、触媒１９が酸素を放出しきっていて酸素を全く吸蔵していなければ（換言すれば、酸素吸蔵量OSAが「０」になっていると）、同触媒１９に流入するガスの排気空燃比がリッチとなったときに酸素を放出することができないので、排ガス中のＨＣやＣＯを充分に浄化できなくなる。このため、触媒１９に流入するガスの空燃比が過渡的に相当のリーン空燃比又は相当のリッチ空燃比となった場合であっても、同ガス中の有害成分を充分に浄化できるように、触媒１９の酸素吸蔵量OSAを精度良く推定するとともに、同酸素吸蔵量OSAを所定の値に維持するように同触媒１９に流入するガスの空燃比を制御しておくことが望ましい。
【００５０】
また、触媒１９にリーンな空燃比のガスが流入したときには、同触媒１９の上流側においてより多くの酸素が吸蔵され、同触媒１９にリッチな空燃比のガスが流入したときには、同触媒１９の上流側から吸蔵されている酸素が消費されて行く。従って、同触媒１９の最上流位置から任意の位置までの酸素吸蔵量OSAの合計量を推定し、同推定値に基く空燃比制御を行えば、触媒１９全体の酸素吸蔵量が「０」または最大酸素吸蔵量Ｃmaxに到達することが回避し易くなるので、同空燃比の制御に不可避的な制御遅れが存在していても、エミッションを効果的に低減できる。さらに、触媒１９から流出するガス（又は触媒１９の一部又は全部により浄化されたガス）に含まれる特定のガス成分の濃度を推定できれば、同ガス成分に着目した空燃比制御を行うことで、同ガス成分の排出を高精度に抑制することができる。
【００５１】
以上の要求から、本空燃比制御装置は、推定モデル（触媒モデル）を使用することにより、特定ガス成分の濃度（排出量）と酸素吸蔵量を推定する。これらの推定値が、排気浄化触媒の全部又はその内部の所定領域（一部）から流出する排ガス中に含まれる少なくとも一つの特定成分の排出量又は流出する排ガスの状態を示す少なくとも一つの代表値である。
【００５２】
（触媒モデル）
以下、触媒モデルについて説明すると、先ず、図４に模式的に示したように、触媒１９をガスの入口（流入側）Ｆｒから出口（流出側）Ｒｒに向う軸線に直交する面により複数の領域（「ブロック」とも称呼する。）に分割する。即ち、触媒１９を排ガスの流れ方向に沿って、複数の領域に分割する。分割された各領域の軸線方向の長さはＬ（微小の長さでありdxとも書く。）である。上述したように、触媒１９の断面積はdA一定である。
【００５３】
なお、この触媒モデルは、触媒を複数の領域に分割して構築されたモデルであるが、触媒全体を以下に述べる一つの領域として考えることにより、同触媒１９を複数の領域に分割することなく触媒モデルを構築することもできる。
【００５４】
次に、分割された領域のうちの任意の特定領域に注目し、同特定領域を通過する特定の化学種（特定成分）の物質の収支を考える。化学種は、排ガス中に含まれる成分であり、例えば、酸素Ｏ２、一酸化炭素ＣＯ、炭化水素ＨＣ、及び窒素酸化物ＮＯｘである。なお、化学種は、触媒に流入する排ガスの空燃比がリッチのときに同排ガス中に含まれる成分を総合したもの（リッチ成分）、或いは、触媒に流入する排ガスの空燃比がリーンのときに同排ガス中に含まれる成分を総合したもの（リーン成分）とすることもできる。
【００５５】
ここで、本触媒モデルで使用する種々の値を次の表１のように定義する。
【００５６】
【表１】
2010059971.tif 000003
【００５７】
いま、時刻ｔ〜ｔ＋Δｔの所与の期間における特定領域での化学種の収支を考えると、図５に示したように、特定領域の排ガス相（単に、「ガス相」とも称呼する。）における化学種の変化量ΔMは、下記の(1)式に示したとおり、同特定領域に流入した同化学種の量Minから、同特定領域から流出した同化学種の量Moutとコート層に奪われた同化学種の量Mcoatとを減算した量と等しい。このように、触媒モデルは特定領域における特定成分の物質収支に基づいて構築される。
【数１】
2010059971.tif 000004
【００５８】
以下、(1)式の各項について個別に検討する。先ず、(1)式の左辺にある化学種の変化量ΔMは、下記(2)式により求めることができる。(2)式は、上記所与の期間における化学種の濃度変化量（化学種の濃度Cgの時間変化量を所与の期間に渡り積分した量）に微小体積σ・dA・dxを乗じた値を特定領域に渡って（軸方向に）積分したものである。
【数２】
2010059971.tif 000005
【００５９】
(1)式の右辺第１項のMinは、単位時間あたりに特定領域に流入するガスの体積に相当する値である「特定領域に流入するガスの流速vginと同特定領域の断面積dAの積vgin・dA（実際には、断面積dAで開口率σの触媒内に流速Vginのガスが流れ込むので、触媒内部でのガスの流速はVgin／σとなり、この実際の流速Vgin／σと触媒の実質的な断面積σ・dAの積）」に同流入するガス中の化学種の濃度Cginを乗じた値Cgin・Vgin・dAを所与の期間に渡り積分した値である。また、(1)式の右辺第２項のMoutは、特定領域から流出するガスの流速vgoutと同特定領域の断面積dAの積vgout・dA（実際には、ガスの流速Vgout／σと実質的な断面積σ・dAの積）に同流出するガス中の同化学種の濃度Cgoutを乗じた値Cgout・vgout・dAを所与の期間に渡り積分した値である。即ち、上記(1)式の右辺第１項及び第２項は下記(3)式のように記述することができる。
【数３】
2010059971.tif 000006
【００６０】
ところで、特定領域に流入するガスの流速vginと同特定領域から流出するガスの流速vgoutとの間に大きな差異はないので、vg＝vgin＝vgoutとおくと、(3)式は、下記(4)式のように変形される。
【数４】
2010059971.tif 000007
【００６１】
次に、(1)式の右辺第３項のコート層に伝達される（移動する）化学種の量Mcoatについて検討する。幾何学的表面積Sgeoは触媒の単位体積あたりの化学種の反応に寄与する表面積であるから、特定領域において化学種の反応に寄与する表面積はSgeo・dA・dxであり、同特定領域の単位長あたりに同反応に寄与する面積はSgeo・dAとなる。また、コート層に伝達される化学種の量は、フィックの法則から、ガス相の化学種の濃度Cgとコート層の化学種の濃度Cwとの差に比例すると考えることができる。これらから、下記の(5)式が得られる。なお、hDは比例定数であるが、上記の表に示したように、物質伝達率と称呼される値である。
【数５】
2010059971.tif 000008
【００６２】
従って、上記(1),(2),(4)式、及び(5)式から、以下の(6)式が得られる。
【数６】
2010059971.tif 000009
【００６３】
この(6)式に準定常（quasi state)近似を適用すると、(6)式の左辺は「０」（∂Cg／∂t＝０）であると考えることができるから（即ち、濃度Cgは瞬間的に定常値に至ると考えられるから）、下記の(7)式が得られる。
【数７】
2010059971.tif 000010
【００６４】
ここで、見かけの拡散速度（実質的な拡散速度）RDを(8)式のようにおけば、(7)式は(9)式に書き直される。
【数８】
2010059971.tif 000011
【数９】
2010059971.tif 000012
【００６５】
次に、特定領域のコート層における化学種の収支（特定成分の物質収支）を上記と同様に考えると、下記(10)式に示したように、コート層内における化学種の時間的変化量（単位時間あたりの変化量）ΔMcは、単位時間あたりに排ガス相からコート層へ伝達される同化学種の量Mdから、同単位時間あたりにコート層にて反応により消費される同化学種の量Mrを減じた量である。
【数１０】
2010059971.tif 000013
【００６６】
(10)式の左辺（コート層内における化学種の時間的変化量）ΔMcは、下記(11)式に示したように、化学種の濃度変化（∂Cw／∂t）に体積（(1−σ）・dA・dx）を乗じることにより求められ、右辺第１項（単位時間あたりに排ガス相からコート層へ伝達される化学種の量Md）は(5)式で説明した理由と同じ理由により、即ち、フィックの法則から考えると、下記(12)式のように記述することができる。
【数１１】
2010059971.tif 000014
【数１２】
2010059971.tif 000015
【００６７】
また、(10)式の右辺第２項（単位時間あたりにコート層にて反応により消費される化学種の量Mr）は、コート層での化学種の消費速度Ｒを用いた下記(13)式により求められる。
【数１３】
2010059971.tif 000016
【００６８】
従って、(10)〜(13)式から、下記の(14)式が得られる。
【数１４】
2010059971.tif 000017
【００６９】
この(14)式に準定常（quasi state)近似を適用すると（∂Cw／∂t＝０）、下記の(15)式が得られる。
【数１５】
2010059971.tif 000018
【００７０】
ここで、(15)式に(8)式を適用すれば、下記の(16)式が得られる。
【数１６】
2010059971.tif 000019
【００７１】
以上を要約すると、(9）式及び(16)式が触媒モデルの基本式である。(9)式は、ある化学種の（特定領域への流入量）と（排ガス相からコート層への拡散量＋特定領域からの流出量）とが釣り合っていることを示し、(16)式は、同化学種の（排ガス相からコート層への拡散量）と（コート層での消費量）とが釣り合っていることを示している。
【００７２】
次に、かかる触媒モデルを使用して特定領域から流出する特定の化学種ｉの濃度Cgoutを実際に算出するための方法について説明する。先ず、(9)式を離散化すると、下記(17)式が得られる。なお、以下においては上記dxをLとして表す。
【数１７】
2010059971.tif 000020
【００７３】
ここで、図６に概念的に示したように、特定領域Ｉから流出する化学種の濃度Cgoutは同特定領域Ｉの化学種の濃度Cg(I)の影響を強く受けると考えられるので、下記の(18）式のように置くことができる。かかる考え方は「風上法」と称呼される。換言すると、風上法とは、「特定領域Ｉに隣接する上流側の領域（Ｉ−１）における濃度Cg(I-1)の化学種が、特定領域Ｉに流入する。」という考え方であり、下記(19)式のように記述することもできる。
【数１８】
2010059971.tif 000021
【数１９】
2010059971.tif 000022
【００７４】
ところで、反応速度論に基けば、ある化学種の消費速度Rは、その化学種のコート層の平均濃度Cwの関数fcw（例えば、Cwのｎ乗）となるので、この関数fcwを最も簡便となるようにfcw(x)＝xとおけば、同消費速度Rは(20)式にて示したように置くことができる。なお、以下において、(20)式中のR*を便宜上「消費速度定数」と称呼する。
【数２０】
2010059971.tif 000023
【００７５】
この(20)式を上記(16)式（R=RD・(Cg-Cw)…(16)）に適用すると下記(21)式が得られ、同(21)式を変形することにより下記(22)式が得られる。
【数２１】
2010059971.tif 000024
【数２２】
2010059971.tif 000025
【００７６】
また、上述した風上法によれば、Cg＝Cgoutであるから、(22)式は下記(23)式に書き換えられる。
【数２３】
2010059971.tif 000026
【００７７】
そして、Cg＝Cgoutなる関係を上記(17)式に適用してCgを消去するとともに、同(17)式と上記(23)式とからCwを消去すると、下記(24)式が得られる。
【数２４】
2010059971.tif 000027
【００７８】
そこで、値SPを下記(25)式のようにおけば、(24)式は(26)式のように書き直すことができる。値SPは、見かけの拡散速度RDと消費速度定数R*のうちの小さい方の値に強い影響を受ける値であるから、Cgoutの変化が物質の伝達(RD)又は化学的反応(R*)の何れにより律速されているかを示す値であり、従って、「反応律速因子」と呼ぶこともできる。
【数２５】
2010059971.tif 000028
【数２６】
2010059971.tif 000029
【００７９】
以上のことから、消費速度定数R*と見かけの拡散速度RDとを決定できれば、特定領域に流入する化学種濃度Cginを与えることにより、(25)式と(26)式とに基づいて同特定領域から流出する化学種の濃度Cgoutを求めることができる。以上が、化学種の濃度Cgoutを算出する基本的考え方である。
【００８０】
次に、上記消費速度定数R*と見かけの拡散速度RDを決定するとともに、特定領域から流出する化学種濃度Cgoutを求める際のより具体的な方法の一例について説明する。この例（触媒モデル）では、触媒での酸化・還元反応である三元反応は瞬時に且つ完全に終了するものと仮定し、その結果としての酸素の過不足に基く酸素の吸蔵・放出反応に着目することとする。なお、この仮定（触媒モデル）は、現実的であり且つ精度の良いものである。
【００８１】
この場合、着目する化学種ｉは、例えば、酸素Ｏ２や窒素酸化物の一つである一酸化窒素ＮＯのように酸素を生成する（酸素をもたらす）化学種（ストレージ・エージェント）、及び、一酸化炭素ＣＯや炭化水素ＨＣのように酸素を消費する化学種（リダクション・エージェント）から選ばれた化学種である。
【００８２】
また、以下において、ストレージ・エージェントの化学種ｉのCgoutをCgout,stor,i、同化学種ｉのCwをCw,stor,i、同化学種ｉのCginをCgin,stor,i、同化学種ｉの見かけの拡散速度RDをRD,i、同化学種ｉの消費速度をRstor,i、同化学種ｉの消費速度定数をR*stor,i、及び同化学種ｉの反応律速因子SPstor,i（この場合、化学種ｉはＯ２又はＮＯ）と表す。
【００８３】
同様に、リダクション・エージェントの化学種ｉのCgoutをCgout,reduc,i、同化学種ｉのCwをCw,reduc,i、同化学種ｉのCginをCgin,reduc,i、同化学種ｉの見かけの拡散速度RDをRD,i、同化学種ｉの消費速度をRreduc,i、同化学種ｉの消費速度定数をR*reduc,i、及び同化学種ｉの反応律速因子SPreduc,i（この場合、化学種ｉはＣＯ又はＨＣ等）と表す。このように各値を表すと、上記(20),(23),(25),(26)式から以下の(27)〜(34)式が得られる。
【数２７】
2010059971.tif 000030
【数２８】
2010059971.tif 000031
【数２９】
2010059971.tif 000032
【数３０】
2010059971.tif 000033
【数３１】
2010059971.tif 000034
【数３２】
2010059971.tif 000035
【数３３】
2010059971.tif 000036
【数３４】
2010059971.tif 000037
【００８４】
これらの式に基づいて、Cgout,sotr,i（具体的には、特定領域から流出する酸素の濃度Cgout,O2、特定領域から流出する一酸化窒素の濃度Cgout,NO）及びCgout,reduc,i（具体的には、特定領域から流出する一酸化炭素の濃度Cgout,CO、特定領域から流出する炭化水素の濃度Cgout,HC）を求めるため、先ず、消費速度定数R*stor,i及び消費速度定数R*reduc,iを求める。
【００８５】
ところで、反応速度論によれば、特定領域のコート層で酸素が吸蔵される速度（酸素の吸蔵速度）Rstor,iは、同コート層のストレージ・エージェント（Ｏ２、ＮＯｘ等）の濃度Cw,stor,i（例えば、Cw,O2、Cw,NO)の関数f1(Cw,stor,i）の値に比例するとともに、特定領域のコート層の最大酸素吸蔵密度と実際の（その時点における）酸素吸蔵密度との差(Ostmax-Ost)の関数ｆ2(Ostmax-Ost)の値とに比例すると考えられる。この最大酸素吸蔵密度と酸素吸蔵密度との差(Ostmax-Ost)は、着目している特定領域における酸素吸蔵余裕量を表す。
【００８６】
そこで、簡単のために関数f1(x)＝f2(x)＝xとすると、下記の(35)式が得られる。下記(35)式のkstor,iは酸素吸蔵速度係数（吸蔵側反応速度係数,ストレージ・エージェントの消費速度係数）であって、よく知られたアレニウスの式で表される温度に依存して変化する係数であり、別途検出又は推定される触媒温度Tempと所定の関数（酸素吸蔵速度係数kstor,iと触媒温度Tempとの間の関係を規定したマップでも良い。）とに基づいて求めることができる。なお、酸素吸蔵速度係数kstor,iは、触媒劣化程度に応じても変化するので、同触媒劣化程度に応じて求めてもよい。
【数３５】
2010059971.tif 000038
【００８７】
従って、(27)式と(35)式とから、消費速度定数R*stor,iは下記(36)式により求めることができる。
【数３６】
2010059971.tif 000039
【００８８】
また、酸素の吸蔵（吸着）と放出のみに着目しているこのモデルにおいては、還元剤であるリダクション・エージェントはコート層に吸蔵されている酸素の放出のみに使用されるから、同リダクション・エージェントの消費速度Rredcu,iはコート層に吸蔵されている酸素が放出される速度（酸素の放出速度）Rrel,iと等しい。
【００８９】
そこで、酸素の放出速度Rrel,iについて検討すると、同放出速度Rrel,iは、酸素の吸蔵速度Rstor,iと同様に反応速度論に基き、同コート層において酸素を消費する化学種（例えば、ＣＯ，ＨＣ）の濃度Cw,reduc,i（例えば、Cw,CO、Cw,HC）の関数g1(Cw,reduc,i)の値に比例するとともに、酸素吸蔵密度Ostの関数g2(Ost)の値とに比例すると考えられる。
【００９０】
そこで、簡単のために関数g1(x)＝g2(x)＝xとすると、下記の(37)式が得られる。下記(37)式のkrel,iは酸素放出速度係数（吸脱側反応速度係数）であって、酸素吸蔵速度係数kstor,iと同様にアレニウスの式で表される温度に依存して変化する係数であり、別途検出又は推定される触媒温度Tempに基づいて所定の関数（酸素放出速度係数krel,iと触媒温度Tempとの間の関係を規定したマップでも良い。）に基づいて求めることができる。なお、酸素放出速度係数krel,iは、触媒劣化程度に応じても変化するので、同触媒劣化程度に応じて求めてもよい。
【数３７】
2010059971.tif 000040
【００９１】
この結果、上述したようにリダクション・エージェントの消費速度Rredcu,iはコート層の酸素の放出速度Rrel,iと等しいから、消費速度定数R*reduc,iは(31)式と(37)式とを比較することにより得られる下記(38)式に基づいて求めることができる。
【数３８】
2010059971.tif 000041
【００９２】
以上のことから、酸素吸蔵密度Ostが求められれば(酸素吸蔵密度Ostの求め方については、後述する。）、(36)式から消費速度定数R*stor,i（例えば、R*O2）を求めることができる。一方、見かけの拡散速度RD,i（例えば、RD,O2）は(8)式のようにSgeo・hD,iであるから、温度と流量の関数（触媒の温度と同触媒を通過するガスの流量の関数）として実験的に求めておくことができる。この結果、(29)式からSPstor,i（例えば、SPstor,O2）が決定されるので、境界条件としてCgin,stor,i（例えば、Cgin,O2）が与えられるとき、(30)式からCgout,stor,i（例えば、Cout,O2）が求められる。そして、新たなCw,stor,i（例えば、Cw,O2）が(28)式により求められる。
【００９３】
同様に、酸素吸蔵密度Ostが求められれば、(38)式から消費速度定数R*reduc,i（例えば、R*reduc,CO）を求めることができる。一方、見かけの拡散速度RD,i（例えば、RD,CO）は(8)式のようにSgeo・hD,iであるから、温度と流量の関数（触媒の温度と同触媒を通過するガスの流量の関数）として実験的に求めておくことができる。この結果、(33)式からSPreduc,i（例えば、SPreduc,CO）が決定されるので、境界条件としてCgin,reduc,i（例えば、Cgin,CO）が与えられるとき、(34)式からCgout,reduc,i（例えば、Cgout,CO）が求められる。そして、新たなCw,reudc,i（例えば、Cw,CO）が(32)式により求められる。
【００９４】
次に、Cgout,stor,i、Cgout,reduc,iを求めるために必要となる酸素吸蔵密度Ostの求め方について説明する。
【００９５】
先ず、コート層での化学種としての酸素の収支について着目すると、同収支はコート層での酸素の吸蔵分と酸素の放出分の差であるから、下記(39)式により記述される。(39)式でdA・Lは特定領域の体積dVである。
【数３９】
2010059971.tif 000042
【００９６】
この(39)式を変形すると、下記(40)式が得られる。
【数４０】
2010059971.tif 000043
【００９７】
この(40)式を、(35)式と(37)式とを用いながら離散化すると、下記の(41)式が得られる。
【数４１】
2010059971.tif 000044
【００９８】
この(41)式を変形すると、下記(42)式〜(44)式が得られ、これらから酸素吸蔵密度Ostを求めること（更新して行くこと）ができる。
【数４２】
2010059971.tif 000045
【数４３】
2010059971.tif 000046
【数４４】
2010059971.tif 000047
【００９９】
このように、式(42)〜(44)式から酸素吸蔵密度Ostが求められるので、上述したようにCgout,stor,i、Cgout,reduc,iを求めることができる。また、酸素吸蔵密度Ostが求められるから、下記(45)式に基づいて特定領域の酸素吸蔵量OSAを求めることができる。
【数４５】
2010059971.tif 000048
【０１００】
従って、触媒に流入する化学種濃度Cgin,iが境界条件として与えられたとき、触媒上流のブロック（特定領域）から、順次、(45)式を用いて各ブロックの酸素吸蔵量OSAを求めることができ、これにより、触媒内部の酸素吸蔵量の分布が精度良く推定される。また、各ブロックの酸素吸蔵量OSAを触媒全体について積算すれば、同触媒全体の酸素吸蔵量についても精度良く推定することができる。
【０１０１】
次に、実際の触媒における酸素O2、一酸化炭素CO、炭化水素HC、及び窒素酸化物（ここでは一酸化窒素）NOの各化学種濃度Cgout,O2、Cgout,CO、Cgout,HC、及びCgout,NOを求めるための具体的方法の一例について、フローチャートを用いて説明する。この例においても、触媒での酸化・還元反応である三元反応は瞬時に且つ完全に終了するものと仮定し、その結果としての酸素の過不足に基く酸素の吸蔵・放出反応にのみ着目することとする。
【０１０２】
ＥＣＵ１８のＣＰＵは、図７から図１１の一連のフローチャートによりに示されたプログラムを所定時間の経過毎に図７のプログラムから順に実行するようになっている。また、これらのプログラムは、触媒１９を多数のブロック（特定領域）に分割し、そのうちの一つのブロックＩについてのプログラムであって、全く同様なプログラムが他のブロックについても同時並行的にＣＰＵにより実行されている。
【０１０３】
ＣＰＵは所定のタイミングになると図７のステップ７００から処理を開始し、ステップ７０５に進んで前回の本プログラムの演算時において後述するステップ７４５にて算出されたコート層の酸素濃度Cw,O2(k+1)を今回のコート層の酸素濃度Cw,O2の値であるCw,O2(k)に設定し、続くステップ７１０にて前回の本プログラムの演算時において後述する図１１のステップ１１２５にて算出された酸素吸蔵密度Ost(k+1)を今回の酸素吸蔵密度Ostの値Ost(k)に設定する。
【０１０４】
次に、ＣＰＵは、ステップ７１５にて触媒１９の温度Tempと同触媒１９の劣化程度を表す劣化指標値REKKAと図１２に示したようなマップ（ルックアップテーブル）MapkstorO2とから酸素吸蔵速度係数kstor,O2(k)を決定する。
【０１０５】
触媒温度Tempは、温度センサ２１によって検出してもよいし、エンジン１の運転状態（例えば、吸入空気量Ｇａとエンジン回転速度NE）に応じて推定してもよい。
【０１０６】
劣化指標値REKKAは、触媒１９の最大酸素吸蔵量Ｃmaxに応じて求められる値（例えば、最大酸素吸蔵量Ｃmaxの単調増加関数）である。最大酸素吸蔵量Ｃmaxは、次のようにして求められる。即ち、エンジン１が所定の定常運転状態にある場合に、下流側センサ２６が理論空燃比よりリーンな空燃比を検出しているとき、触媒１９に流入するガスの空燃比を所定のリッチ空燃比に維持し、これにより触媒１９内に貯蔵されている酸素を総べて消費する。
【０１０７】
その結果、下流側センサ２６が理論空燃比よりリーンな空燃比に対応する値から理論空燃比よりリッチな空燃比に対応する値を出力すると、その時点ｔ１から触媒１９に流入するガスの空燃比を所定のリーン空燃比に設定し、次に下流側センサ２６が理論空燃比よりリッチな空燃比に対応する値から理論空燃比よりリーンな空燃比に対応する値を出力する時点ｔ２までに、同触媒１９に流入するガス中に含まれる酸素の量を下記(46)式、及び(47)式に基づいて求める。この(47)式により求められる積算値O2storage(＝Ｃmax１）を最大酸素吸蔵量Ｃmaxとして採用する。
【数４６】
2010059971.tif 000049
【数４７】
2010059971.tif 000050
【０１０８】
なお、時点ｔ２の後、触媒１９に流入するガスの空燃比を所定のリッチ空燃比に維持し、次に下流側センサ２６が理論空燃比よりリーンな空燃比に対応する値から理論空燃比よりリッチな空燃比に対応する値を出力する時点ｔ３までに、同触媒１９に流入するガス中に含まれる単位時間あたりの酸素の不足量を上記(46)式と同様な式により求め、上記(47)式と同様な式により同単位時間あたりの酸素の不足量を時点ｔ２〜ｔ３に渡って積算し、これにより求められる積算値Ｃmax２を最大酸素吸蔵量Ｃmaxとして採用してもよく、前記最大酸素吸蔵量Ｃmax１とこの最大酸素吸蔵量Ｃmax２との平均値を最大酸素吸蔵量Ｃmaxとして採用してもよい。
【０１０９】
次いで、ＣＰＵは、ステップ７２０にて同ステップ７２０内に記載した式（上記(36)式を参照。）に従って酸素の消費速度定数R*stor,O2(k)を求める。なお、ステップ７２０にて用いる最大酸素吸蔵密度Ostmaxは、一定値としてもよいが、前記触媒劣化指標値REKKA（又は、最大酸素吸蔵量Ｃmax）に応じて決定されることが望ましい（以下、同じ。）。その後、ＣＰＵはステップ７２５にて見かけの拡散速度RD,O2(k)を触媒温度TempとマップMapRDO2とから決定する。
【０１１０】
続いて、ＣＰＵはステップ７３０にて酸素の反応律速因子SPstor,O2を同ステップ７３０内に記載した式（上記(29)式を参照。）により求め、ステップ７３５にて、このプログラムが対象としているブロックＩよりも前の（即ち、上流の）ブロックＩ−１から流出する酸素濃度Cgout,O2(k)を、同対象としているブロックＩに流入する酸素濃度Cgin,O2(k)として取り込む。
【０１１１】
このとき、対象としているブロックＩが触媒１９の最も上流のブロックである場合、前のブロックＩ−１は存在しないから、ステップ７３５における前のブロックのCgout,O2(k)は、同触媒１９に流入するガスの酸素濃度Cgin,O2である。この触媒１９に流入するガスの酸素濃度Cgin,O2は、同触媒１９に流入するガスの空燃比A/Fと同ガスの流量とに基く関数fO2により求められる。下記の(48)式の右辺は、この関数fO2の具体例である。
【数４８】
2010059971.tif 000051
【０１１２】
上記(48)式の導出過程を簡単に述べると、触媒１９に流入する排ガスの空燃比AFはGa／Gfであり、Gfに対して理論空燃比を得るために必要な空気質量をGastoichとすると、理論空燃比AFstoichはGastoich／Gfとなる。一方、供給燃料質量がGaであるときに空燃比がAFとなったとき、理論空燃比AFstoichを得るために必要な空気質量に対する過剰な空気質量はGa−Gastoichであるから、酸素の質量をMassO2とおくと、下記(49)式が得られ、この(49)式から上記(48)式が得られる。
【数４９】
2010059971.tif 000052
【０１１３】
次に、ＣＰＵはステップ７４０に進み、同ステップ７４０に記述した式（上記(30)式を参照。）に従ってCgout,O2(k+1)を求める。vgの値はエアフローメータ１３が検出した吸入空気流量とする。このように、ステップ７４０では、対象としているブロックＩから流出する酸素濃度Cgout,O2を新たに算出する。次いで、ＣＰＵはステップ７４５に進み、同ステップ７４５に記述した式（上記(28)式を参照。）に従ってCw,O2(k+1)を求める。即ち、ＣＰＵは、ステップ７４５にて対象としているブロックＩのコート層の酸素濃度Cw,O2を新たに算出し、ステップ７９５を経由して図８に示したステップ８００に進む。このように、図７により示したプログラムは、特定領域Ｉにおける排ガス相の酸素濃度推定手段、及びコート層の酸素濃度推定手段を構成している。
【０１１４】
次に、ＣＰＵはステップ８００からステップ８０５に進んで、前回の本プログラムの演算時において後述するステップ８４０にて算出されたコート層の一酸化炭素Cw,CO(k+1)を今回のコート層の一酸化炭素濃度Cw,COの値であるCw,CO(k)に設定する。
【０１１５】
次に、ＣＰＵは、ステップ８１０にて触媒１９の温度Tempと同触媒１９の劣化指標値REKKAと図１２に示したようなマップMapkrelCOとから係数krel,CO(k)を決定し、続く、ステップ８１５にて同ステップ８１５内に記載した式（上記(38)式を参照。）に従って消費速度定数R*reduc,CO(k)を求め、その後、ステップ８２０にて見かけの拡散速度RD,CO(k)を触媒温度TempとマップMapRDCOとから決定する。
【０１１６】
続いて、ＣＰＵはステップ８２５にて一酸化炭素の反応律速因子SPreduc,COを同ステップ８２５内に記載した式（上記(33)式を参照。）により求め、ステップ８３０にて、このプログラムが対象としているブロックＩよりも前の（即ち、上流の）ブロックＩ−１から流出する一酸化炭素濃度Cgout,CO(k)を、同対象としているブロックに流入する一酸化炭素濃度Cgin,CO(k)として取り込む。
【０１１７】
このとき、対象としているブロックＩが触媒１９の最も上流のブロックである場合、前のブロックＩ−１は存在しないから、ステップ８３０における前のブロックのCgout,CO(k)は、同触媒１９に流入するガスの一酸化炭素濃度Cgin,COであり、同触媒１９に流入するガスの空燃比A/Fと一酸化炭素濃度Cgin,COとの関係を規定した図１３に示したマップに基づいて求められる。
【０１１８】
ここでは、触媒に流入するガスの空燃比A/Fと一酸化炭素濃度Cgin,COとの関係を予め実験により求めておき、この関係と同触媒に流入する実際の空燃比A/Fとに基づいて上記一酸化炭素濃度Cgin,COを求めているが、空燃比A/Fの他、点火時期、エンジン１の冷却水温、及び触媒に流入するガス量（例えば、エアフローメータ１３により検出される吸入空気流量と等しい量）等のパラメータの一つ以上と一酸化炭素濃度Cgin,COとの関係を予め実験により求めておき、この関係と実際のパラメータとにも基づいて一酸化炭素濃度Cgin,COを更に精度良く求めてもよい。
【０１１９】
次に、ＣＰＵはステップ８３５に進み、同ステップ８３５に記述した式（上記(34)式を参照。）に従ってCgout,CO(k+1)を求める。即ち、対象としているブロックＩから流出する一酸化炭素濃度Cgout,COを新たに算出する。次いで、ＣＰＵはステップ８４０に進み、同ステップ８４０に記述した式（上記(32)式を参照。）に従ってCw,CO(k+1)を求める。即ち、ＣＰＵは、ステップ８４０にて対象としているブロックＩのコート層の一酸化炭素濃度Cw,COを新たに算出し、ステップ８９５を経由して図９に示したステップ９００に進む。このように、図８により示したプログラムは、特定領域Ｉにおける排ガス相の一酸化炭素濃度推定手段、及びコート層の一酸化炭素濃度推定手段を構成している。
【０１２０】
図９に示したプログラムは、炭化水素HCについての演算を行うプログラムであり、一酸化炭素COについての演算を行うための先に説明した図８のプログラムと同様なプログラムである。
【０１２１】
簡単に説明すると、ＣＰＵはステップ９００からステップ９０５に進んで、前回の本プログラムの演算時において後述するステップ９４０にて算出されたコート層の一酸化炭素Cw,HC(k+1)を今回のコート層の一酸化炭素濃度Cw,HCの値であるCw,HC(k)に設定する。
【０１２２】
次に、ＣＰＵは、ステップ９１０にて触媒１９の温度Tempと同触媒１９の劣化指標値REKKAと図１２に示したようなマップMapkrelHCとから係数krel,HC(k)を決定し、続く、ステップ９１５にて同ステップ９１５内に記載した式（上記(38)式を参照。）に従って消費速度定数R*reduc,HC(k)を求め、その後、ステップ９２０にて見かけの拡散速度RD,HC(k)を触媒温度TempとマップMapRDHCとから決定する。
【０１２３】
続いて、ＣＰＵはステップ９２５にて炭化水素の反応律速因子SPreduc,HCを同ステップ９２５内に記載した式（上記(33)式を参照。）により求め、ステップ９３０にて、このプログラムが対象としているブロックＩよりも前の（即ち、上流の）ブロックＩ−１から流出する炭化水素濃度Cgout,HC(k)を、同対象としているブロックに流入する炭化水素濃度Cgin,HC(k)として取り込む。
【０１２４】
このとき、このプログラムが対象としているブロックＩが触媒１９の最も上流のブロックである場合、前のブロックＩ−１は存在せず、ステップ９３０におけるCgout,HC(k)は、同触媒１９に流入するガスの炭化水素濃度Cgin,HCである。この場合、触媒１９に流入するガスの空燃比A/Fと炭化水素濃度Cgin,HCとの関係は図１４のグラフに示したようであり、エンジン１の排気温度と炭化水素濃度Cgin,HCとの関係は図１５のグラフに示したようであるから、触媒１９に流入するガスの空燃比A/F及びエンジン１の排気温度と炭化水素濃度Cgin,HCとの関係を予め実験により求めてマップとして記憶しておき、実際のガスの空燃比A/F及び実際のエンジン１の排気温度と同マップとから炭化水素濃度Cgin,HCを求める。
【０１２５】
なお、上記炭化水素濃度Cgin,HCを求めるにあたり、空燃比A/F及びエンジン１の排気温度の他、点火時期、エンジン１の冷却水温、及び触媒に流入するガス量（例えば、エアフローメータ１３により検出される吸入空気流量と等しい量）等のパラメータの一つ以上と炭化水素濃度Cgin,HCとの関係を予め実験により求めておき、この関係と実際のパラメータとにも基づいて上記炭化水素濃度Cgin,HCを更に精度良く求めてもよい。
【０１２６】
次に、ＣＰＵはステップ９３５に進み、同ステップ９３５に記述した式（上記(34)式を参照。）に従ってCgout,HC(k+1)を求める。即ち、対象としているブロックＩから流出する一酸化炭素濃度Cgout,HCを新たに算出する。次いで、ＣＰＵはステップ９４０に進み、同ステップ９４０に記述した式（上記(32)式を参照。）に従ってCw,HC(k+1)を求める。即ち、ＣＰＵは、ステップ９４０にて対象としているブロックＩのコート層の一酸化炭素濃度Cw,HCを新たに算出し、ステップ９９５を経由して図１０に示したステップ１０００に進む。このように、図９により示したプログラムは、特定領域Ｉにおける排ガス相の炭化水素濃度推定手段、及びコート層の炭化水素濃度推定手段を構成している。
【０１２７】
図１０に示したプログラムは、窒素酸化物（ここでは、窒素酸化物の代表として一酸化窒素NOを選択した。)について、上記図７〜図９に示したプログラムに基く演算と同様の演算を行うためのプログラムである。
【０１２８】
簡単に説明すると、ＣＰＵはステップ１０００からステップ１００５に進んで、前回の本プログラムの演算時において後述するステップ１０４０にて算出されたコート層の一酸化窒素Cw,NO(k+1)を今回のコート層の一酸化窒素濃度Cw,NOの値であるCw,NO(k+1)に設定する。
【０１２９】
次に、ＣＰＵは、ステップ１０１０にて触媒１９の温度Tempと同触媒１９の劣化指標値REKKAと図１２に示したようなマップMapkstorNOとから酸素吸蔵速度係数kstor,NO(k)を決定し、続く、ステップ１０１５にて同ステップ１０１５内に記載した式（上記(36)式を参照。）に従って消費速度定数R*stor,NO(k)を求め、その後、ステップ１０２０にて見かけの拡散速度RD,NO(k)を触媒温度TempとマップMapRDNOとから決定する。
【０１３０】
続いて、ＣＰＵはステップ１０２５にて一酸化窒素の反応律速因子SPstor,NOを同ステップ１０２５内に記載した式（上記(29)式を参照。）により求め、ステップ１０３０にて、このプログラムが対象としているブロックＩよりも前の（即ち、上流の）ブロックＩ−１から流出する一酸化窒素濃度Cgout,NO(k)を、同対象としているブロックに流入する一酸化窒素濃度Cgin,NO(k)として取り込む。
【０１３１】
このとき、このプログラムが対象としているブロックＩが触媒１９の最も上流のブロックである場合、前のブロックＩ−１は存在せず、ステップ１０３０における前のブロックのCgout,NO(k)は、同触媒１９に流入するガスの一酸化窒素濃度Cgin,NOである。この場合、触媒１９に流入するガスの空燃比A/Fと一酸化窒素濃度Cgin,NOとの関係は図１６のグラフに示したようであり、エンジン１の一気筒の一吸気行程あたりの吸入空気流量Mc（筒内吸入空気量）と一酸化窒素濃度Cgin,NOとの関係は図１７のグラフに示したようであるから、触媒１９に流入するガスの空燃比A/F及び筒内吸入空気量と一酸化窒素濃度Cgin,NOとの関係を予め実験により求めてマップとして記憶しておき、実際のガスの空燃比A/F及び実際の筒内吸入空気量と同マップとから一酸化窒素濃度Cgin,NOを求める。
【０１３２】
なお、上記一酸化窒素濃度Cgin,NOを求めるにあたり、触媒に流入するガスの空燃比A/F及び筒内吸入空気量の他、点火時期、エンジン１の冷却水温、及び触媒に流入するガス量（例えば、エアフローメータ１３により検出される吸入空気流量と等しい量）等のパラメータの一つ以上と一酸化窒素濃度Cgin,NOとの関係を予め実験により求めておき、この関係と実際のパラメータとにも基づいて上記一酸化窒素濃度Cgin,NOを更に精度良く求めてもよい。
【０１３３】
次に、ＣＰＵはステップ１０３５に進み、同ステップ１０３５に記述した式（上記(30)式を参照。）に従ってCgout,NO(k+1)を求める。即ち、対象としているブロックＩから流出する一酸化窒素濃度Cgout,NOを新たに算出する。次いで、ＣＰＵはステップ１０４０に進み、同ステップ１０４０に記述した式（上記(28)式を参照。）に従ってCw,NO(k+1)を求める。即ち、ＣＰＵは、ステップ１０４０にて対象としているブロックＩのコート層の一酸化窒素濃度Cw,NOを新たに算出し、ステップ１０９５を経由して図１１に示したステップ１１００に進む。このように、図１０により示したプログラムは、特定領域Ｉにおける排ガス相の一酸化窒素濃度推定手段、及びコート層の一酸化窒素濃度推定手段を構成している。
【０１３４】
図１１に示したプログラムは、酸素吸蔵密度（酸素吸蔵濃度）Ostを算出するためのプログラムであり、具体的に述べると、ＣＰＵはステップ１１０５にて上記(43)式に基く同ステップ１１０５内に記述した式により係数Ｐを求めるとともに、続くステップ１１２０にて上記(44)式に基く同ステップ１１２０に記述した式により係数Ｑを求める。次いで、ＣＰＵはステップ１１２５にて上記(42)式に基く同ステップ１１２５に記述した式により酸素吸蔵密度Ost(k+1)を求め、ステップ１１９５にて図７〜図１１に示した本プログラムを一旦終了する。なお、ステップ１１２５の次に、上記(45)式に基づいてこのブロックの酸素吸蔵量OSA,Iを求めてから、ステップ１１９５に進むように構成してもよい。このように、図１１に示したプログラムは、酸素吸蔵密度算出手段、及び酸素吸蔵量算出手段を構成している。
【０１３５】
以上、説明したように、対象としているブロックＩの化学種ｉの濃度Cgout,iが求められ、上述した風上法を用いることで、順次隣接するブロックＩの化学種ｉの濃度Cgout,iが求められて行く。同様に、各ブロックＩ毎に酸素吸蔵密度Ostが求められ、上述した(45)式を使用することで、同ブロックＩの酸素吸蔵量OSAが求められる。また、このブロックＩの酸素吸蔵量OSAを触媒の入口から任意のブロックＫまで積算すれば、同ブロックＫまでの触媒内の積算酸素吸蔵量OSA,Ｋが求められ、ブロックＫが触媒の出口のブロックであれば、同触媒の酸素吸蔵量OSAallが求められる。
【０１３６】
次に、上述した空燃比制御装置を用いた制御の実施形態について、順次説明する。
【０１３７】
まず、第一実施形態について、その制御のフローチャートを示した図１８を参照しながら説明する。本実施形態では、排ガス中の酸素量（実際には、触媒１９から排出される酸素の濃度）と一酸化炭素量（実際には触媒１９から排出される一酸化炭素の濃度）を上述した推定値として求める。また、酸素量は空燃比制御において酸素の過不足量として扱う。つまり、酸素が過剰に存在する場合に酸素量は正の値、酸素が不足している場合に酸素量は負の値とする。更に、本実施形態では、触媒１９全体を一つの領域（特定領域）として考えている。
【０１３８】
触媒１９での排ガスの浄化反応においては、排ガス中の浄化すべき成分を酸化させるために（即ち、未燃燃料である炭化水素HCや一酸化炭素COを酸化させるために）酸素が消費される。このため、触媒１９から流出する排ガス中にこれらの酸化すべき成分が含まれているときは、酸素量が不足しているとみなす。即ち、推定値は負の値をとる。なお、ここでは、未燃成分を一酸化炭素COで代表させる。
【０１３９】
これに対し、排ガス中の浄化すべき成分（窒素酸化物NOx）が還元されることにより生じる酸素、及び流入する排ガス中に含まれる酸素が、触媒１９の酸素吸蔵作用によって同触媒１９に吸蔵しきれない場合、酸素成分が同触媒１９から流出する。このときは、酸素量が過剰であるとみなす。即ち、推定値は正の値をとる。なお、ここでは、酸素吸蔵作用に係る成分を酸素O2で代表させる。
【０１４０】
本空燃比制御装置は、この酸素に関する推定値を用いて空燃比制御を行う。具体的に述べると、同装置のＣＰＵは、図１８のフローチャートに示したように、ステップ１０にて上流側空燃比センサ２５が検出する触媒１９に流入する排ガスの空燃比（排気空燃比）を取得し、次のステップ３０にて前回の（本プログラムの前回の実行時における後述するステップ５５にて求めた）酸素吸蔵密度Ostを用いてRosc（即ちR*stor,O2、R*reudc,CO）及びRD（RD,O2、RD,CO）を算出する。
【０１４１】
このとき、触媒１９に流入する排ガスの空燃比が理論空燃比よりリーンの場合、RDの算出には既に説明した(8)式に基く以下の(50)式を用い、Roscの算出には、既に説明した(36)式に基く以下の(51)式を用いる。
【数５０】
2010059971.tif 000053
【数５１】
2010059971.tif 000054
【０１４２】
また、触媒１９に流入する排ガスの空燃比が理論空燃比よりリッチの場合、RDの算出には既に説明した(8)式に基く以下の(52)式を用い、Roscの算出には、既に説明した(38)式に基く以下の(53)式を用いる。
【数５２】
2010059971.tif 000055
【数５３】
2010059971.tif 000056
【０１４３】
Roscについては、例えば温度についての関数となる。ここでは、例えば、hDが温度の関数であり、ksotr,O2、krel,COは図１２に示したように、温度と触媒劣化度の関数である。温度は温度センサ２１によって検出され、検出された温度に基づいてＥＣＵ１８内のＲＯＭに格納された関数式やマップからRoscが算出される。
【０１４４】
その後、ＣＰＵはステップ４０にて、触媒１９に流入する排ガスの空燃比が理論空燃比よりリーンの場合、上述した(30)式を用いてCgout,O2（＝CgoutO2）、触媒１９に流入する排ガスの空燃比が理論空燃比よりリッチの場合、上述した(34)式を用いてCgout,COを算出する。そして、Cgout,COが求められたときには、Cgout,O2＝−２・Cgout,COとして、最終的なCgout,O2を求める。
【０１４５】
また、ステップ４０でCgout,O2（Cgout,COで置換する前のCgout,O2）及びCgout,COを算出するには、Cgin,O2及びCgin,COがそれぞれ必要となる。ステップ４０では、Cgin,O2を上述した(48)式から求めている。このとき、排気空燃比が理論空燃比よりもリッチであり、(48)式に従って計算したCgin,O2が正の値であればその値をそのままCin,O2として採用し、(48)式に従って計算したCgin,O2が負の値であれば、その値の絶対値の1/2をCgin,COをとして採用する。
【０１４６】
次いで、ＣＰＵはステップ５０にてコート層の各化学種濃度Cw（Cw,O2、Cw,CO）を(28)式及び(32)式に基づいて求め、ステップ５５にて(42)式〜(44)式によりOst（今回値）を算出するとともに、ステップ６０にて、空燃比制御用のフィードバック補正量（Ｆ／Ｂ補正量）を、(Cgout,O2−O2ref)・Gなどから求める。ここで、O2refは制御目標（目標状態）、Gは制御ゲインである。図１９は、このCgout,O2とＦ／Ｂ補正量との関係を示したグラフである。本実施形態では、制御目標は所定の範囲として定められている。決定されたＦ／Ｂ補正量は、空燃比を決定する燃料噴射量の補正係数の一つとして空燃比制御に反映される。
【０１４７】
次に、第二実施形態について、その制御のフローチャートを示した図２０を参照しながら説明する。本実施形態では、上述した推定値として、排ガス中のリッチ成分とリーン成分を用いている。また、本実施形態では、触媒１９全体を一つの領域（特定領域）として考えている。
【０１４８】
リッチ成分とは、排気空燃比がリッチのときに排ガス中の含有量が増加する成分を総合したもので、触媒１９から流出する排ガスの状態を示す代表値の一つである。具体的には、排ガスに含まれるのCOやHCの量を一つの指標としてまとめた代表値である。一方、リーン成分とは、排気空燃比がリーンのときに排ガス中の含有量が増加する成分を総合したもので、触媒１９から流出する排ガスの状態を示す代表値の一つである。具体的には、排ガスに含まれるＮＯｘやＯ２の量を一つの指標としてまとめた代表値である。本実施形態では、上述した二つの推定値を用いて空燃比制御を行うので、Cgoutに関しては、リッチ成分に関するものをCgoutRとおく。つまり、
【数５４】
2010059971.tif 000057
具体的には、CgoutR＝Cgout,reduc,CO＋Cgout,reduc,HC）とする。また、リーン成分に関するものをCgoutLとおく。つまり、
【数５５】
2010059971.tif 000058
具体的には、CgoutL＝Cgout,stor,O2＋Cgout,stor,NO）とする。本実施形態は、このように定めたCgoutRとCgoutLとを用いて以下の演算を行う。
【０１４９】
まず、図２０のフローチャートに示されるように、ＣＰＵはステップ７０にてエンジン１の燃焼後の排ガス（触媒１９に流入する排ガス）中のリッチ成分CginRとリーン成分CginLとを推定する。かかるリッチ成分CginRとリーン成分CginLの推定においては、触媒１９での酸化・還元反応（三元反応）及び酸素吸蔵放出反応を考慮する。三元反応に関連する化学式を(54)式に示す。また、酸素吸蔵放出反応に関連する化学式を(55)式に示す。なお、この酸素吸蔵放出反応における各反応の反応速度係数を、KO2(＝Kstor,O2)、KNO(＝Kstor,NO)，KCO(＝Krel,CO)，KHC(＝Krel,HC)とする。(55)式での酸素の吸蔵・放出においては、酸素吸蔵・放出機能を生じせしめる担持金属をセリウム（Ce）として記載してある。
【数５６】
2010059971.tif 000059
【数５７】
2010059971.tif 000060
【０１５０】
次いで、ＣＰＵは、ステップ１００に進んで上述した第一実施形態と同様に、Rosc（即ちR*stor,O2、R*stor,NO、R*reduc,CO、R*reudc,HC）及びRD（即ちRD,O2、RD,NO、RD,CO、RD,HC）を算出し、続くステップ１１０にて、上述した(34)式を用いてCgoutR（＝Cgout,reduc,CO＋Cgout,reduc,HC）を算出し、(30)式を用いてCgoutL（＝Cgout,stor,O2＋Cgout,stor,NO）を算出する。
【０１５１】
さらに、ＣＰＵはステップ１２０にてコート層の各化学種濃度Cw（即ちCw,O2、Cw,NO、Cw,CO、Cw,HC）を(28)式及び(32)式を用いて求め、ステップ１２５にて(42)式〜(44)式によりOst（今回値）を算出するとともに、ステップ１３０にて空燃比制御用のフィードバック補正量（Ｆ／Ｂ補正量）を、（CgoutR−Ref）×GR＋（CgoutL−Ref）×GLから求める。ここで、（CgoutR−Ref）×GRがリッチ成分に対応する部分で、（CgoutL−Ref）×GLがリーン成分に対応する部分である。Refは制御目標（目標状態）、GR，GLは各成分毎に設定される制御ゲインである。
【０１５２】
ここで、CgoutRとCgoutLとが等しくなるように空燃比制御が行われる。即ち、CgoutR及びCgoutLが何れも目標値Refとなるように、各成分に対応するＦ／Ｂ補正量（CgoutR−Ref）×GR，（CgoutL−Ref）×GLが決定される。また、本実施形態では、制御目標は所定の範囲として定められている。決定された補正量は、空燃比を決定する燃料噴射量の補正係数の一つとして空燃比制御に反映される。
【０１５３】
なお、より具体的には、下記(56)式によりフィードバック補正量を計算することになる。
【数５８】
2010059971.tif 000061
【０１５４】
次に、第三実施形態について、その制御のフローチャートを示した図２１を参照しながら説明する。本実施形態では、上述した推定値として、排ガス中の酸素排出量、一酸化炭素排出量及び一酸化窒素排出量（実際には、それらの各濃度）を用いている。また、本実施形態では、触媒１９全体を一つの領域（特定領域）として考えている。本実施形態では、上述した三つの推定値を用いて空燃比制御を行うので、Cgoutに関しては、酸素排出量に関するものをCgoutO2（Cgout,O2)とし、一酸化炭素排出量に関するものをCgoutCO（Cgout,CO）とし、一酸化窒素排出量に関するものをCgoutNO（Cgout,NO）として説明する。
【０１５５】
まず、ＣＰＵは、図２１のフローチャートに示されるように、ステップ１４０にて、エンジン１の燃焼後の排ガス（触媒１９に流入する排ガス）中のリッチ成分CginR（Cgin,CO）とリーン成分CginL(Cgin,O2, Cgin,NO）とを前述したように推定し、ステップ１７０にて、Rosc（即ちR*stor,O2、R*stor,NO、R*reduc,CO）及びRD（即ちRD,O2、RD,NO、RD,CO）を算出する。その後、ＣＰＵはステップ１８０にて上述した(34)式を用いてCgoutR（Cgout,reduc,CO）を算出し、(30)式を用いてCgoutL（Cgout,stor,O2＝CgoutO2とCgout,stor,NO＝CgoutNO）を算出する。
【０１５６】
さらに、ＣＰＵはステップ１９０にてコート層における各化学種濃度Cw（即ちCw,O2、Cw,NO、Cw,CO）を(28)式及び(32)式を用いて求め、ステップ１９５にて(42)式〜(44)式によりOst（今回値）を算出する。そして、ＣＰＵは、ステップ２００にて空燃比制御にフィードバックするためのフィードバック補正量（Ｆ／Ｂ補正量）を、（CgoutO2−O2ref）×G02＋（CgoutNO−N0ref）×GNO＋（CgoutCO−COref）×GCOから求める。ここで、（CgoutO2−O2ref）×G02が酸素成分に対応する部分で、（CgoutNO−NOref）×GNOが一酸化窒素成分に対応する部分で、（CgoutCO−COref）×GCOが一酸化炭素成分に対応する部分である。O2ref，NOref，COrefは各成分毎の制御目標、G02，GNO，GCOは各成分毎に設定される制御ゲインである。決定された補正量は、空燃比を決定する燃料噴射量の補正係数の一つとして空燃比制御に反映される。なお、本実施形態においても、制御目標を所定の範囲として定めていてもよい。
【０１５７】
次に、第四実施形態について説明する。本実施形態では、第一実施形態と同様に、上述した推定値として排ガス中の酸素量（触媒１９から排出される酸素の濃度）を用いるが、その推定値は所定時間後の推定値（現時点から所定時間先の時点の推定値）である。すなわち、本実施形態においては、いわゆる「先読み」による制御を行う。これに伴って、推定値の推定手法も、第一実施形態とは異なる。ここでの推定値（酸素量）も過不足量として把握され、触媒１９全体が一つの領域（特定領域）として考えられている。
【０１５８】
推定値（排出酸素過不足量）の推定には上述した第一実施形態と同様の推定モデル（推定方法）が用いられる。本実施形態ではさらに、吸入空気量や燃焼に寄与する燃料量などもモデルを用いて推定する。吸入空気量に関するモデルを、ここでは空気モデルと言うこととし、燃料量に関するモデルを、ここでは燃料挙動モデルと言うこととする。
【０１５９】
第四実施形態における制御のフローチャートを図２２に示す。まず、図２２のフローチャートに示されるように、ＣＰＵは上述した空気モデルを用いて、所定時間後の吸入空気量を推定する（ステップ２１０）。この空気モデルについての詳しい説明はここでは省略するが、一例としては、吸入空気量を検出する吸気管内圧センサやエアフローメータ１３の出力に加えて、スロットルバルブ９の開度の時間変化やその微積分値、エンジン回転数の時間的変化や微積分値などを用いて、所定時間後の筒内吸入空気量を推定する手法などがある。
【０１６０】
以下、スロットルバルブ９の開度を用いた吸入空気流量の推定方法の一例について簡単に説明する。
（１）ＣＰＵは、アクセルポジションセンサ１２から現時点のアクセル開度を検出する。
（２）ＣＰＵは、検出した現時点のアクセル開度に基づいて暫定的な目標スロットルバルブ開度を決定する。
（３）ＣＰＵは、決定された暫定的な目標スロットルバルブ開度を所定時間だけ遅延して実際の目標スロットルバルブ開度とする。換言すると、現時点から所定時間前の暫定的な目標スロットルバルブ開度が実際の目標スロットルバルブ開度として設定される。暫定的な目標スロットルバルブ開度は、それが実際の目標スロットルバルブ開度として使用されるまで時系列的にＲＡＭ内に格納される。
（４）ＣＰＵは、設定された実際の目標スロットルバルブ開度とスロットルバルブ９の開度が一致するようにスロットルモータ１１を制御する。
（５）ＣＰＵは、現時点から次に吸気行程を迎える気筒の吸気弁が閉じる時点（吸気弁閉弁時）に至るまでの時間を推定し、その推定した時間と前記ＲＡＭに格納されている暫定的な目標スロットルバルブ開度とに基づいて、同気筒の吸気弁閉弁時における目標スロットルバルブ開度を算出し、同目標スロットルバルブ開度により同吸気弁閉弁時の推定スロットルバルブ開度を算出する。。
（６）ＣＰＵは、次に吸気行程を迎える気筒の吸気弁閉弁時の吸入空気流量（筒内吸入空気量）Mcを、前記推定スロットルバルブ開度とエンジン回転速度とマップとに基づいて推定する。
【０１６１】
次いで、ＣＰＵは、ステップ２１０の推定結果を踏まえて、基本燃料噴射量（例えば、エンジン１に吸入される混合気の空燃比を理論空燃比とするために必要な噴射量）を算出する（ステップ２２０）。この基本燃料噴射量が各種補正係数により補正され、最終的な燃料噴射量が決定される。
【０１６２】
さらに、この基本燃料噴射量（あるいは基本燃料噴射量に対して補正が加えられた燃料噴射量）と燃料挙動モデルとに基づいて排ガスの空燃比を推定する（ステップ２３０）。この燃料挙動モデルについての詳しい説明もここでは省略するが、一例としては、基本燃料噴射量自体に加えて、吸気ポートやシリンダ内壁等の部材への燃料の付着分や同内壁に付着している燃料の剥離分などをも考慮して、所定時間後の排気空燃比を推定する手法などがある。
【０１６３】
例えば、この燃料モデルによれば、fi(k)だけの燃料量をインジェクタ５から噴射した後の燃料付着量fw(k+1)は下記(57)式により求められる。
fw(k+1)＝R・fi(k)＋P・fw(k)      …(57)
【０１６４】
上記(57)式において、fw(k)はfi(k)だけの燃料量を噴射する前の吸気ポート等への燃料付着量、Pは吸気ポート等に既に付着していた燃料のうち一吸気行程を経た後に同吸気ポート等に付着したまま残留している燃料の割合（残留率）、Rは噴射された燃料のうち吸気ポート等へ直接付着する燃料の割合（付着率）である。
【０１６５】
一方、今回の燃料噴射量fi(k)のうち燃焼室（気筒）内に吸入される燃料量は(１−R)・fi(k)となり、既に付着している燃料の量（燃料付着量）fw(k)のうち燃焼室（気筒）内に吸入される燃料量は(１−P)・fw(k)となる。即ち、今回の燃料噴射により、気筒内には下記(58)式に示した燃料量fc(k)が吸入されることになる。
fc(k)＝(１−R)・fi(k)＋(１−P)・fw(k)      …(58)
【０１６６】
従って、実際には、基本噴射量の燃料をインジェクタ５から噴射し、上記(58)式のfi(k)を基本噴射量と等しいとおいて実際に気筒に吸入される燃料量fc(k)を求め、前記推定した筒内吸入空気量Mcをこの燃料量fc(k)で除することにより、排気空燃比を予測する。また、次回の計算に備え、(57)式のfi(k)を基本噴射量と等しいとおいて燃料付着量fw(k+1)を求めておく。
【０１６７】
次に、ＣＰＵは、ステップ２３５に進み、前記ステップ２３０にて推定された排気空燃比を上記(48)式のAFとおき、同(48)式からCginO2（＝Cgin,O2)を推定するとともに、前記ステップ２３０にて推定された排気空燃比、及び触媒に流入するガスの空燃比A/Fと一酸化炭素濃度CginCOとの関係を規定した図１３に示したマップに基づいて一酸化炭素濃度CginCOを推定する。その後、ＣＰＵは、第一実施形態で述べた手法と同様にしてステップ２４０にてCgoutO2を推定する。このCgoutO2は、前記排気空燃比が現時点から所定時間後の空燃比を予測（先読み）したものであり、従って、CginO2及びCginCOもそれぞれ現時点から所定時間後のCginO2及びCginCOとなるから、現時点から所定時間後のCgoutO2を予測した値となっている。
【０１６８】
次いで、ＣＰＵはステップ２５０にて前記CgoutO2が０より大きいか否かを判定し、同ステップにて「Ｙｅｓ」と判定したときはリッチ制御（ステップ２６０）、「Ｎｏ」と判定したときはリーン制御（ステップ２７０）を実行する。即ち、本実施形態におけるCgoutO2の目標状態（目標値）は０（ゼロ）であり、同CgoutO2が０となるように空燃比制御が実行される。
【０１６９】
リッチ制御は空燃比（機関の空燃比）をリッチ側に補正する空燃比制御（噴射量を増量する制御）で、リーン制御は空燃比をリーン側に補正する制御（噴射量を減量する制御）である。本実施形態では、その補正量はリッチ制御・リーン制御の各制御毎に一定である。なお、推定したCgoutO2とその目標状態との乖離度に応じて補正量を変更してもよい。また、ステップ２６０では空燃比をリッチ側に補正する補正係数を算出し、ステップ２７０では空燃比をリーン側に補正する補正係数を算出し、これらの補正係数を基本噴射量に乗ずるなどの処理を行って燃料噴射制御に反映させるようにしてもよい。
【０１７０】
次に、第五実施形態について説明する。本実施形態でも、上述した第四実施形態と同様に、いわゆる「先読み」による制御を行う。また、本実施形態においては、排ガス中の複数の排出成分についての推定値が算出される。ここでは、これら複数の推定値（具体的にはCgout,O2やCgout,COなど）をCgout**として記載することとする。同様に、CginについてはCgin**として記載する。また、ここでも触媒１９全体は、一つの領域（特定領域）として扱われている。
【０１７１】
第五実施形態における制御のフローチャートを図２３に示す。まず、図２３のフローチャートに示されるように、ＣＰＵは、上述した空気モデルを用いて、所定時間後の吸入空気量を推定する（ステップ２８０）。次いで、ＣＰＵは、上述した燃料挙動モデルを用いてシリンダ３内に実際に供給されるであろう燃料量を推定し（ステップ２９０）、ステップ２８０及びステップ２９０の結果から空燃比を算出する（ステップ３００）。
【０１７２】
そして、ＣＰＵは、算出した空燃比に基づいて触媒１９に流入する各成分毎のCgin**を算出する（ステップ３１０）。さらに、触媒１９内の反応を考慮して、各成分毎のCgout**と触媒１９の酸素吸蔵量ＯＳＡとを推定する（ステップ３２０）。Cgin**とCgout**の推定については、上述した実施形態の手法による。また、ＯＳＡは、上述した(42)〜(45)式に基づいて推定する。
【０１７３】
次に、ＣＰＵは、排気浄化に不利な状況となりそうかどうかを、スロットル駆動要求やその時点でのＯＳＡなどの運転条件から予測する。スロットル駆動要求の有無は、運転者によるアクセルベグルの操作量（アクセル開度）の時間変化（アクセル開度の時間微分値）に基づいて判断され得る。また、排気浄化に不利な状況であるか否かは、たとえば、スロットル開度が急激に変化する過渡状態時であるか否かに基づいて判定され得る。過渡状態時には、触媒１９の酸素吸蔵状態が不安定になりやすく、空燃比制御による補正が間に合わずに排気浄化率が悪化する可能性が高い。このようなとき、ＣＰＵは、スロットルバルブ９の開閉動作を電子制御によって遅延させ（開閉動作速度を小さくし）、これにより浄化すべき成分の触媒１９下流側への流出を抑止しつつ、スロットル動作の遅延による要求トルク未達分を点火時期制御によって補う。
【０１７４】
具体的に述べると、ＣＰＵは、スロットル駆動要求があるか否かを判定し（ステップ３３０）、このようなスロットル駆動要求がなければ、排気浄化に不利な状況にはなりにくいと判定して、図２３のフローチャートに示される制御を終了する。一方、スロットル駆動供給がある場合、ＣＰＵは、その時点でのＯＳＡ、算出したCgout**、スロットル開度予測値、及びアクセル開度の時間変化量などの運転状態に基づいて、排気浄化率が悪化することが予想されるか否かを判定する（ステップ３４０）。そして、ＣＰＵは排気浄化率が悪化することが予想されないと判定すると、駆動要求通りにスロットルバルブ９を駆動する（ステップ３６０）。
【０１７５】
―方、ＣＰＵは、排気浄化率の悪化が予測されるとき、スロットル駆動動作の遅延量および点火時期によるトルク補正量とを決定するとともに、上述した推定値Cgout**を目標状態に一致させるための空燃比制御を行い（ステップ３５０）、スロットル駆動を行う（ステップ３６０）。スロットル駆動動作の遅延量は、例えば、スロットルバルブ開度の急激な変化を抑制するため、上述した実際の目標スロットルバルブ開度に対して一次遅れ処理を施した開度を実際のスロットルバルブ開度として設定し直すために必要な量である。点火時期の補正量は、この実際のスロットルバルブ開度を設定し直したことに伴うエンジントルクの低下分を補うための補正量（進角量）である。また、推定値Cgout**を目標状態とするための空燃比制御は、上述した他の実施形態と同様である。
【０１７６】
ここまでに説明した各実施形態は、いずれも触媒１９全体を一つの領域として考えて各推定値を算出するものであつた。これに対し、以下の実施形態は、触媒１９を排ガスの流れ方向に複数の領域（ブロック）に分割し、その複数の領域のうちの一つの領域（特定領域J）についての各推定値に対して目標状態を設定して、同各推定値が目標状態となるように空燃比制御を行う。
【０１７７】
まず、触媒１９を複数領域に分割する実施形態のうち、第六実施形態について、その制御のフローチャートを示した図２４を参照しながら説明する。この実施形態は、触媒１９をｎ段に分割して取り扱う。ここで、触媒１９の分割された複数の領域について、上流側からＩ＝１〜ｎの番号を順に付するとともに、各領域Ｉ毎の推定値等にＩ＝１〜ｎの添え字を付する。
【０１７８】
また、本実施形態では、排ガス中の酸素量（触媒１９の各領域から排出される酸素の濃度）と一酸化炭素量（触媒１９の各領域から排出される一酸化炭素の濃度）とを上述した推定値として求める。更に、酸素量は空燃比制御において第一実施形態と同様に過不足量として扱う。なお、既に述べたように、上記(27)式〜(34)式、(36)式、及び(38)式等による各数値は、これらの式に基づいて触媒１９の上流側から順次計算することによって、すべての領域について算出できる。
【０１７９】
以下、この実施形態の制御方法について図２４に示したフローチャートを参照しながら具体的に説明すると、まず、ＣＰＵは上流側空燃比センサ２５が検出する触媒１９に流入する排ガスの空燃比を取り込み（ステップ３７０）、上述した特定領域を表す値Ｉを「０」にリセットする（ステップ３８０）。次いで、ＣＰＵは、Ｉ←Ｉ＋１として、Ｉの値を「１」だけインクリメントする（ステップ３９０）。この段階では、Ｉの値は１となる。
【０１８０】
次いで、ＣＰＵは、領域Ｉに対するRoscＩ（即ちR*stor,O2,I、R*reudc,CO,I）及びRDＩ（RD,O2,I、RD,CO,I）を算出する（ステップ４１０）。
【０１８１】
このとき、触媒１９に流入する排ガスの空燃比が理論空燃比よりリーンの場合、RD,Ｉの算出には既に説明した(50)式を用い、Rosc,Ｉの算出には既に説明した(51)式を用いる。また、触媒１９に流入する排ガスの空燃比が理論空燃比よりリッチの場合、RD,Ｉの算出には既に説明した(52)式を用い、Rosc,Ｉの算出には既に説明した(53)式を用いる。
【０１８２】
その後、ＣＰＵは上述した第一実施形態の図１８のステップ４０と同様に、(30)式と(34)式とを用いてCgoutI（Cgout,O2,IとCgout,CO,I）を算出する（ステップ４２０）。このとき、ＣＰＵは、ステップ４２０の処理を行う際に必要とするCin,O2,I等をステップ４０と同様に上記(48)式に基づいて算出する。なお、Cgout,CO,Iが求められたときには、Cgout,O2,Iに−２・Cgout,CO,Iを設定する。
【０１８３】
次いで、ＣＰＵはコート層の化学種濃度CwＩ（Cw,O2,I、Cw,CO,I）を(28)式及び(32)式に基づいて求め（ステップ４３０）、(42)式〜(44)式によりOstＩ（今回値）を算出するとともに（ステップ４３５）、現在のＩの値がｎ以上であるか否かを判定する（ステップ４４０）。このとき、Ｉの値がｎ未満であれば、ＣＰＵはステップ３９０に戻り、Ｉの値を「１」だけ大きくして次の下流側の領域について同様の算出を行う（ステップ４１０〜４３０,ステップ４３５）。一方、Ｉの値がｎ以上となると、すべての領域についての各種値の算出が終了したことになるので、この場合、ＣＰＵはステップ４４０からステップ４５０に進む。
【０１８４】
そして、ＣＰＵはステップ４５０にて空燃比のフィードバック補正量（Ｆ／Ｂ補正量）を、特定領域Ｊ（Ｊはｎより小さいか等しい）についての推定値CgoutO2,Jに基づいて、（CgoutO2,J−O2ref）×Gから求める。ここで、O2refは制御目標、Gは制御ゲインである。決定されたフィードバック補正量は、空燃比を決定する燃料噴射量の補正係数の一つとして空燃比制御に反映される。
【０１８５】
このように、本実施形態においては、触媒１９を複数の領域に分割し、特定領域Ｊに関する上述した推定値を求めているので、同特定領域Ｊの推定値に基づいて、触媒１９の状況をより正確に把握できる。また、特定領域Ｊは、最も下流側の領域よりも上流側の領域に設定することができ、その結果、排ガスの浄化性能をより一層向上させることが可能となる。換言すると、特定領域Ｊ（Ｊ＜ｎ）の状態を理想の状態に近づけておけば、予期しない多量の未燃成分や窒素酸化物が触媒１９に流入したとしても、特定領域Ｊ＋１〜ｎの領域にて、これらを浄化する可能性が高まる。即ち、空燃比制御遅れによる弊害（エミッションの悪化）を小さくすることができる。
【０１８６】
次に、第七実施形態について、その制御のフローチャートを示した図２５を参照しながら説明する。本実施形態は、各領域毎の各種数値の算出に関する限り、第六実施形態と何ら変わるところがない。このため、同一の制御ステップには同一の符号を付して、その説明を省略する。
【０１８７】
本実施形態において、ＣＰＵがステップ４４０にて「Ｙｅｓ」と判定すると（即ち、すべての領域についての各数値の算出が終了すると）、同ＣＰＵは特定領域（制御するべき領域、以下、特定制御領域Ｊとも言う。）を決定するための運転条件を取得し（ステップ４６０）、取得した運転条件に基づいて特定制御領域Ｊを決定する（ステップ４７０）。上述した運転条件としては、様々な条件を設定することができる。また、一つの条件だけでなく、複数の条件に基づいて特定制御領域Ｊを決定することもできる。ここでは、一つの条件に基づいて特定制御領域Ｊを決定する具体例を四つ挙げる。図２６〜図２９は、各例において使用するマップを示している。
【０１８８】
図２６は、上述した運転条件として吸入空気量を用いた場合に使用する「吸入空気量と特定領域（特定制御領域）Ｊとの関係」を示すマップである。吸入空気量は、エアフロメータ１３によって検出される。このマップによれば、吸入空気量が多いほど特定領域(特定制御領域）Ｊが上流側（上流段）に設定される。
【０１８９】
図２７は、上述した運転条件としてアクセル開度の時間変化量（Δアクセル開度）を用いた場合に使用する「Δアクセル開度と特定領域(特定制御領域）との関係」を示すマップである。Δアクセル開度は、アクセルポジシヨンセンサ１２の検出結果を加工することによって得られる。このマップによれば、Δアクセル開度が大きいほど特定領域(特定制御領域）Ｊが上流側に設定される。
【０１９０】
吸入空気量やΔアクセル開度に関しては、その値が大きくなるほど特定領域(特定制御領域）Ｊの位置を上流側に設定し、その値が小さくなるほど特定領域(特定制御領域）Ｊの位置を下流側に設定する。これは、いわゆる「吹き抜け現象」が発生しやすい場合には空燃比制御に用いられる特定領域(特定制御領域）Ｊを上流側に設定し、「吹き抜け現象」が発生しにくい場合には特定領域(特定制御領域）Ｊを下流側に設定するためである。「吹き抜け現象」とは、触媒１９自体は浄化する能力を有しているにもかかわらず、流速が速かったり、流量が多かったりという理由によって、排ガス中の浄化されるべき成分が十分に浄化される前に下流側に流出してしまう現象である。
【０１９１】
図２８は、上述した運転条件として触媒１９の活性状態を用いた場合に使用する「触媒の活性状態と特定領域(特定制御領域）Ｊとの関係」を示すマップである。触媒１９の活性状態は、例えば、触媒温度センサ２１によって検出した触媒１９の温度から決定することができる。このマップによれば、触媒１９の活性状態が低い（まだ十分に活性化していない）ほど特定領域(特定制御領域）Ｊが上流側に設定される。これにより、特定領域(特定制御領域）Ｊよりも下流側の領域をバッファ（排気浄化のための予備的な領域）として使用することができるので、排ガス中の浄化すべき成分が十分に浄化され得る。
【０１９２】
図２９は、上述した運転条件として空燃比（触媒１９に流入するガスの空燃比、即ち、エンジン１に供給される混合気の空燃比）の時間的変化量（Δ空燃比）を用いた場合に使用する「Δ空燃比と特定領域(特定制御領域）Ｊとの関係」を示すマップである。Δ空燃比は、空燃比制御を司っているＥＣＵ１８によって算出することができる。このマップによれば、Δ空燃比が小さい（空燃比が余り変化していない場合）ほど特定領域(特定制御領域）Ｊが下流側に設定される。
【０１９３】
このように、ＣＰＵは図２５に示したステップ４７０にて特定領域(特定制御領域）Ｊを決定すると、ステップ４８０に進んで同決定された特定領域(特定制御領域）Ｊの推定値Cgout,O2,Jに基づいて、空燃比フィードバック補正量（Ｆ／Ｂ補正量）を、（Cgout,O2,J−O2ref）×Gに基づいて求める。ここで、O2refは制御目標、Gは制御ゲインである。決定された補正量は、空燃比を決定する燃料噴射量の補正係数の一つとして空燃比制御に反映される。このように、触媒１９を複数の領域に分割し、運転状態に応じて特定領域(特定制御領域）Ｊを変更することによって、排ガスの浄化性能をより一層向上させることが可能となる。
【０１９４】
上述した第六実施形態および第七実施形態においては、特定領域(特定制御領域）は一つだけであった。しかし、特定領域(特定制御領域）は一つでなくても良く、複数設定されてもよい。このようにすることによって、排ガスの浄化をより一層効果的に行うことができるようになる場合がある。次に説明する第八実施形態は、特定領域(特定制御領域）を複数設定している。
【０１９５】
第八実施形態における制御のフローチャートを図３０に示す。本実施形態は、各領域毎の各種数値の算出に関して、上述した第六実施形態及び第七実施形態と何ら変わるところがない。このため、同一の制御ステップには同一の符号を付して、その説明を省略する。
【０１９６】
本実施形態においては、ＣＰＵがステップ４４０にて「Ｙｅｓ」と判定すると（即ち、すべての領域についての各数値の算出が終了すると）、ＣＰＵはステップ４９０に進み、あらかじめ決定されている二つの特定領域(特定制御領域）（領域Ｉ１及び領域Ｉ２）の推定値Cgout,O2,I１及びCgout,O2,I２に基づいて空燃比フィードバック補正量（Ｆ／Ｂ補正量）を［（Cgout,O2,I１−O2ref）×Ｇ１＋（Cgout,O2,I２−O2ref）×Ｇ２］から求める。ここで、O2refは制御目標であり、本実施形態においては、特定領域(特定制御領域）Ｉ１及び特定領域(特定制御領域）Ｉ２の双方について同一の制御目標が用いられている。このステップ４９０において決定された補正量は、空燃比を決定する燃料噴射量の補正係数の一つとして空燃比制御に反映される。なお、特定領域(特定制御領域）Ｉ１と特定領域(特定制御領域）Ｉ２とで異なる制御目標を設定することもできる。
【０１９７】
また、Ｇ１，Ｇ２はそれぞれ特定領域(特定制御領域）Ｉ１，特定領域(特定制御領域）Ｉ２に関しての制御ゲインである。本実施形態では、制御ゲインＧ１，Ｇ２を異ならせて、各特定領域(特定制御領域）の推定値の空燃比制御への影響度についての重み付けをしている。このようにすることによって、特定領域(特定制御領域）を複数設定する場合に、それらの特定領域(特定制御領域）についての状況が空燃比制御に与える影響度を個別に設定でき、排気浄化性能をより向上させることができる場合がある。このように、触媒１９を複数の領域に分割し、複数の特定領域(特定制御領域）を設定することによって、排ガスの浄化性能をより一層向上させることが可能となる。
【０１９８】
上述した第八実施形態においては、制御ゲインＧ１，Ｇ２はあらかじめ決定された固定値とされていた。しかし、特定領域(特定制御領域）を複数設定した場合の各特定領域(特定制御領域）に関する制御ゲインはあらかじめ固定値として決定されていなくても良く、運転状況などに応じて変動する変数値として設定されてもよい。次に説明する第九実施形態は、各特定領域(特定制御領域）に対応する制御ゲインを可変としている。
【０１９９】
第九実施形態における制御のフローチャートを図３１に示す。本実施形態は、各領域毎の各種数値の算出に関して、上述した第六実施形態〜第八実施形態と何ら変わるところがない。このため、同一の制御ステップには同一の符号を付して、その説明を省略する。
【０２００】
本実施形態においては、ＣＰＵがステップ４４０にて「Ｙｅｓ」と判定すると（即ち、すべての領域についての各数値の算出が終了すると）、ＣＰＵはステップ５００に進んで各特定領域に対応する制御ゲインを決定するための運転状態である吸入空気流量Ｇａをエアフロメータ１３から取得する。そして、ＣＰＵは、ステップ５１０にて、前記取得した吸入空気流量Ｇａと図３２に示したマップと基づいて、各特定領域毎（特定領域Ｉ１及び特定領域Ｉ２）に対する制御ゲイン（Ｇ１、Ｇ２）を決定する。
【０２０１】
図３２に示したマップにおいては、横軸が特定領域の位置を示し、縦軸がＧ１，Ｇ２として設定される制御ゲインを示している。また、このマップでは、特定領域Ｉ１は特定領域Ｉ２よりも下流側に位置し、吸入空気量Ｇａの大小に応じた二本の曲線が設定されている。各曲線は、上流側の特定領域Ｉ２の制御ゲインＧ２よりも下流側の特定領域Ｉ１の制御ゲインＧ１の方が大きくなるように設定されている。すなわち、このマップにより制御ゲインを決定すると、下流側の特定領域に関する推定値の空燃比制御に対する影響度が大きくなる。なお、これらの曲線は、適宜定めることができ、例えば、これらの曲線を、上流側に向うに連れて制御ゲインを大きくするように設定すれば、上流側の特定領域の推定値が重視されることになる。
【０２０２】
さらに、図３２に示すマップでは、吸入空気量Ｇａが大きい場合に適用する曲線が、吸入空気量Ｇａが小さい場合に適用する曲線よりも上に位置されている。このため、制御ゲインＧ１，Ｇ２は、吸入空気量Ｇａが多いほど大きくなるように設定される。
【０２０３】
ＣＰＵは、このようにして制御ゲインを決定すると、空燃比フィードバック補正量（Ｆ／Ｂ補正量）を［（Cgout,O2,I1−O2ref）×Ｇ１＋（Cgout,O2,I2−O2ref）×Ｇ２］なる式に基づいて求める（ステップ５２０）。O2refは制御目標である。
【０２０４】
このように、触媒を複数の領域に分割して複数の特定領域を設定し、各特定領域毎の空燃比制御への影響度をエンジン１の運転状態に応じて変更することによって、排ガスの浄化性能をより一層向上させることが可能となる。
【０２０５】
なお、制御ゲインを決定するための上述した運転状態としては、様々な運転状態を採用することができる。また、一つの運転状態だけでなく、複数の運転状態に基づいて各特定領域に対する制御ゲインを決定することもできる。また、本実施形態においては、特定領域Ｉ１及び特定領域Ｉ２の双方について同一の制御目標が用いられていたが、特定領域Ｉ１と特定領域Ｉ２とで異なる制御目標を設定してもよい。
【０２０６】
次に、上述した推定値に基づく空燃比制御を実行するとともに、下流側空燃比センサ２６の出力を用いて上述した推定モデルを補正する第十実施形態について説明する。本実施形態における制御のフローチャートを図３３に示す。図３３のフローチャートは、空燃比を制御するためのプログラムを示したものではなく、推定モデルを補正する制御を行うためのプログラムを示したものである。なお、本実施形態においては、第一実施形態と同様に、触媒１９全体を一つの領域として考えて推定値を算出し、排ガス中の酸素量（触媒１９から流出する酸素濃度）を同推定値の一つとして算出する。
【０２０７】
具体的に説明すると、ＣＰＵは、ステップ５３０にて、上流側空燃比センサ２５が検出する触媒１９に流入する排ガスの空燃比（排気空燃比）を取得し、ステップ５４０に進んで同取得した排気空燃比に基づいてCgout,O2（＝CgoutO2）等を算出する。これらのステップ５３０，５４０に基く処理は、実際には、図１８に示したステップ１０〜ステップ５０、及びステップ５５に基く処理と同様な処理を実行することで達成される。
【０２０８】
次いで、ＣＰＵはステップ５５０に進み、ステップ５４０で算出されたCgoutO2に基づいて下流側空燃比センサ２６が出力するであろう出力を推定（予測）し、ステップ５６０にて（下流側空燃比センサ２６の実際の出力）−（ステップ５５０において推定されたセンサ出力推定値）をErrorO2ｍdlとして算出する。
【０２０９】
そして、ＣＰＵは、続くステップ５７０にて、このErrorO2mdlの絶対値が、所定のモデル許容誤差Emdlよも大きいか否かを判定する。このとき、下流側空燃比センサ２６の実際の出力とステップ５５０において推定された出力推定値との差が許容範囲内であれば、ＣＰＵはステップ５７０に「Ｎｏ」と判定し、この場合、上述した推定モデルに対して補正を行う必要はないので、図３３に示したフローチャートによる制御を一旦終了する。
【０２１０】
これに対し、下流側空燃比センサ２６の実際の出力とステップ５５０において推定された出力推定値との差ErrorO2ｍdlが許容範囲（モデル許容誤差Emdl）を越えていると、ＣＰＵはステップ５７０にて「Ｙｅｓ」と判定し、ステップ５８０に進んで、推定モデルで使用する（上述した(36)式及び(38)式等で使用する）kstor(Kstor,i)及びkrel(krel,i)を修正する。
【０２１１】
このように、上述した推定値を用いた空燃比制御を実行するとともに、この推定値と下流側空燃比センサ２６の出力とを用いて推定モデルを補正することによって、同推定モデルの推定精度をより一層向上させることができる。
【０２１２】
上述した第十実施形態では、下流側空燃比センサ２６の出力に基づいて推定モデルを補正したが、次に説明する第十一実施形態においては、推定モデルによる推定結果に基づいて下流側空燃比センサ２６の異常判定（診断）を行う。本実施形態における制御のフローチャートを図３４に示す。図３４のフローチャートは、空燃比を制御するためのプログラムを示したものではなく、センサの診断（異常判定）を行うためのプログラムを示したものである。なお、本制御においては、第一実施形態と同様に、触媒１９全体を一つの領域として考えて推定値を算出し、排ガス中の酸素量（触媒１９からの排出される酸素の濃度）を同推定値の一つとして算出する。
【０２１３】
具体的に説明すると、ＣＰＵは、ステップ５３０にて、空燃比センサ２５が検出する触媒１９に流入する排ガスの空燃比を検出取得し、ステップ５４０に進んで同取得した排気空燃比に基づいてCgoutO2を算出するとともに、ステップ５５０にて同算出されたCgoutO2に基づいて下流側空燃比センサ２６が出力するであろう出力を推定（予測）する。これらのステップ５３０〜５５０は、上述した第十実施形態におけるステップ５３０〜５５０と同一である。
【０２１４】
次いで、ＣＰＵはステップ５９０に進み、（下流側空燃比センサ２６の実際の出力）−（ステップ５５０において推定されたセンサ出力推定値）をErrorO2snsとして算出する。
【０２１５】
そして、ＣＰＵは、続くステップ６００にて、このErrorO2snsの絶対値が、所定のセンサ許容誤差Esnsよりも大きいか否かを判定する。このとき、下流側空燃比センサ２６の実際の出力とステップ５５０において推定された出力推定値との差ErrorO2snsが許容範囲（センサ許容誤差Esns）内であれば、ＣＰＵはステップ６００にて「Ｎｏ」と判定し、この場合、下流側空燃比センサ２６は正常であると判断し、図３４に示したフローチャートによる制御を一旦終了する。
【０２１６】
これに対し、下流側空燃比センサ２６の実際の出力とステップ５５０において推定されたセンサ出力推定値との差ErrorO2snsが許容範囲（センサ許容誤差Esns）を越えていると、ＣＰＵはステップ６００にて「Ｙｅｓ」と判定し、ステップ６１０に進んで、下流側空燃比センサ２６が異常であると判定する。
【０２１７】
この実施形態によれば、上述した推定値を用いて空燃比制御が実行されるとともに、この推定値と下流側空燃比センサ２６の出力とに基づいて同空燃比センサ２６の診断が行われ得る。
【０２１８】
第十実施形態では、下流側空燃比センサ２６の出力に基づいて推定値を求めるための推定モデルを補正した。これに対し、第十一実施形態では、推定モデルにより算出される推定値に基づいて下流側空燃比センサ２６の診断を行った。これらは、互いに矛盾する考え方ではあるが、推定値と下流側空燃比センサ２６の出力とのうち何れが信頼性が高いかに基づいて選択すればよい。また、エンジン1の運転状態に応じて、信頼できる方が変わるような場合は、エンジン１の運転状態に応じて推定モデル補正制御と下流側空燃比センサ２６の診断制御とが排他的に行われるようにしてもよい。また、第十一実施形態のように、下流側空燃比センサ２６の正常異常を判定するだけでなく、ErrorO2snsに応じて下流側空燃比センサ２６の出力を補正するように構成してもよい。
【０２１９】
これまで説明してきた実施形態は、図１に示されるような、排気通路７上に一つの触媒１９のみを有するエンジン１に適用されていた。これに対し、以下に説明する第十二実施形態では、全体構成である図３５に示したように、エンジン１がその排気通路７上に複数（以下の実施形態では二つ）の排気浄化触媒１９ａ，１９ｂを有している。なお、図３５において、図１に示した構成と同一の構成には同一の符号を付し、その説明を省略するとともに、以下においては、図１に示した内燃機関と相違している部分についてのみ説明する。
【０２２０】
図３５に示されるこの実施形態にかかる内燃機関に関しては、排気通路７上の二ヶ所に排気浄化触媒１９ａ，１９ｂが配設されている。上流側の触媒を上流側排気浄化触媒１９ａ（以下、上流側触媒１９ａとも言う。）、下流側の触媒を下流側排気浄化触媒１９ｂ（以下、下流側触媒１９ｂとも言う。）と称呼して区別する。
【０２２１】
上流側触媒１９ａは、例えば、四気筒のエンジンにおいて、ある二気筒の排気管が一つにまとめられた箇所に一つ、残りの二気筒の排気管が一つにまとめられた箇所にもう一つというように、並列に計二つ設けられるような場合もある。なお、この場合、下流側触媒１９ｂは、すべての排気管が一つにまとめられた部分よりも下流の排気管に設けられることが多い。
【０２２２】
上流側触媒１９ａは、始動時触媒とも呼ばれ、容量の小さなものがシリンダ３にできるだけ近い位置に配設され、排ガスの熱によって冷間始動後に早期に活性化温度にまで昇温され、早期に排気浄化性能を発揮することを目的として配設されることが多い。
【０２２３】
これに対して、下流側触媒１９ｂは、アンダーフロア触媒とも呼ばれ、十分な容量を有するものが車両の床下に配設され、排ガス中の浄化すべき成分を確実に浄化することを目的として配設される場合が多い。そして、上流側触媒１９ａの上流側には、上流側触媒１９ａに流入する排ガスの空燃比を検出する上流側空燃比センサ２５が配設されている。また、下流側触媒１９ｂの下流側には、下流側触媒１９ｂから流出する排ガスの空燃比を検出する下流側空燃比センサ２６が配設されている。さらに、上流側触媒１９ａと下流側触媒１９ｂとの間には、上流側触媒１９ａから流出し、下流側触媒１９ｂに流入する排ガスの空燃比を検出する中間部空燃比センサ２７が配設されている。
【０２２４】
これらの空燃比センサ２５，２６，２７は、ＥＣＵ１８に接続されており、その検出結果をＥＣＵ１８に送出すると共に、ＥＣＵ１８から供給される電力によって早期に昇温されるべくヒータが内蔵されている。また、上流側触媒１９ａ及び下流側触媒１９ｂには、それらの温度を検出する温度センサ２１ａ，２１ｂがそれぞれ取り付けられている。
【０２２５】
次に、本実施形態の作動について説明すると、この実施形態では、上流側触媒１９ａと下流側触媒１９ｂとの双方で、上述した推定モデルによる推定値の算出が行われ、これらに基づく空燃比制御が行われる。これらの推定値と、中間部空燃比センサ２７の検出結果とに基づいて、上流側触媒１９ａから流出して下流側触媒１９ｂに流入する排ガスの空燃比も制御される。なお、上流側触媒１９ａに適用する推定モデルの基本構成と、下流側触媒１９ｂに適用する推定モデルの基本構成は、それぞれのモデルで使用するパラメータの数値が異なっている点を除き、同一である。
【０２２６】
本実施形態における制御のフローチャートを図３６に示す。図３６のフローチャートは、推定値を算出するためのプログラムのみを示している。また、本実施形態においては、上流側触媒１９ａ全体を一つの領域として考えて推定値を算出し、下流側触媒１９ｂ全体を一つの領域として考えて別の推定値を算出する。この実施形態の推定値の一つは、排ガス中の酸素量（触媒１９ａ，１９ｂから流出する酸素の濃度）である。
【０２２７】
また、上述したCgin，Cgoutに関しては、各触媒毎に以下のように表すこととする。即ち、上流側触媒１９ａに流入する化学種（ここでは酸素）濃度はCginO2SC、同触媒１９ａから流出する化学種濃度はCgoutO2SCと記述する。同様に、下流側触媒１９ｂに流入する化学種（ここでは酸素）濃度はCginO2UF、同触媒１９ｂから流出する化学種濃度はCgoutO2UFと記述する。上流側触媒１９ａから流出した化学種は下流側触媒１９ｂに流入するので、CgoutO2SC＝CginO2UFである。
【０２２８】
具体的に、図３６のフローチャートにより示されたプログラムに従って説明すると、ＣＰＵは、ステップ６５０にて、上流側空燃比センサ２５が検出する上流側触媒１９ａに流入する排ガスの空燃比を取得し、ステップ６５２に進んで、同取得した排気空燃比に基づいて上流側触媒１９ａに関するCgoutO2SCを算出する。これらのステップ６５０，６５２に基く処理は、実際には、図１８に示したステップ１０〜ステップ５０、及びステップ５５に基く処理と同様な処理を実行することで達成される。次いで、ＣＰＵは、ステップ６５４にて、前記ステップ６５２で算出されたCgoutO2SCから中間部空燃比センサ２７が出力するであろう出力を推定（予測）する。
【０２２９】
そして、ＣＰＵは、ステップ６５６に進み、（中間部空燃比センサ２７の実際の出力）−（ステップ６５４において推定された出力推定値）をErrorO2mdlとして算出し、続くステップ６５８にて、このErrorO2mdlの絶対値が、所定のモデル許容誤差Emdlよりも大きいか否かを判定する。このとき、中間部空燃比センサ２７の実際の出力とステップ６５４において推定された出力推定値との差が許容範囲を越えていると、ＣＰＵはステップ６５８にて「Ｙｅｓ」と判定してステップ６６０に進み、同ステップ６６０にてCgoutO2SCを補正し、ステップ６６２に進む。
【０２３０】
このステップ６６０におけるCgoutO2SCの補正は、まず推定モデルを補正し、次いで補正した推定モデルに基づいて再度CgoutO2SCを算出することにより達成される。推定モデルの補正は、上述した図３３のフローチャートにおけるステップ５８０での補正と同様に行われる。
【０２３１】
一方、中間部空燃比センサ２７の実際の出力とステップ６５４において推定された出力推定値との差が許容範囲内であると、ＣＰＵはステップ６５８にて「Ｎｏ」と判定し、上述した推定モデルに対して補正を行う必要がないので、ステップ６６２に直接進んでCgoutO2SCをCginO2UFに設定する。なお、ステップ６６０を経由してステップ６６２に到達した場合、ステップ６６０にて補正されたCgoutO2SCがCginO2UFに設定される。
【０２３２】
次いで、ＣＰＵは、ステップ６６４にて、上記算出した下流側触媒に関するCginO2UFに基づいてCgoutO2UFを、ステップ６５２と同様に算出する。そして、ＣＰＵは図示しないステップにて、このように算出されたCgoutO2SC及びCgoutO2UFに基づいて空燃比フィードバック補正量を算出し、空燃比制御に反映する。このように、排気通路７上の複数の触媒１９ａ，１９ｂの双方に関して推定値をそれぞれ算出し、これらの推定値を用いた空燃比制御を行うことによって、排ガスの浄化性能をより一層向上させることが可能となる。
【０２３３】
次に、第十三実施形態について説明する。本実施形態は、上述した第十二実施形態と類似しているが、CgoutO2SCの補正は行わなわれない。なお、第十三実施形態の制御を第十二実施形態の制御と組み合わせて行うようにしても構わない。第十三実施形態は、下流側触媒１９ｂの浄化率を高く維持するため、算出した推定値を用いて、下流側触媒１９ｂに流入する排ガスの空燃比を制御する。具体的には、下流側触媒１９ｂの浄化率を高く維持するために、同下流側触媒１９ｂに流入する排ガス中の酸素過不足量の積算値がゼロとなるように、空燃比制御を行う。
【０２３４】
上記下流側触媒１９ｂに流入する酸素過不足量の積算値とは、下流側触媒１９ｂの浄化率を高く維持させるために下流側触媒１９ｂに流入する酸素量の収支（総和・平均値）をゼロにする際の余剰・不足状態を示すものである。本実施形態における制御のフローチャートを図３７に示す。
【０２３５】
このフローチャートに沿って、本装置の作動を説明すると、ＣＰＵはステップ６５０にて上流側空燃比センサ２５が検出する上流側触媒１９ａに流入する排ガスの空燃比を取得し、ステップ６５２にて前記取得した空燃比に基づいて、上流側触媒１９ａに関するCgoutO2SCを算出する。これらのステップ６５０，６５２に基く処理は、実際には、図１８に示したステップ１０〜ステップ５０、及びステップ５５に基く処理と同様な処理を実行することで達成される。次いで、ＣＰＵはステップ６６２に進み、ステップ６５２で算出したCgoutO2SCをCginO2UFに設定する。
【０２３６】
次いで、ＣＰＵはステップ６７０に進み、ステップ６６２において算出されたCginO2UFの積算値（ΣCginO2UFと表現する）を求める。即ち、ＣＰＵは、これまでの積算値ΣCginO2UF（k−1）をストックしており、これに対して新たにステップ６６２で算出されたCginO2UF（k）を加えることによって、新たな積算値ΣCginO2UF（k）を得る。
【０２３７】
そして、ＣＰＵは、ステップ６７２にて、前記算出された積算値ΣCginO2UF（k）がゼロより大きいか否かを判定し、同ステップ６７２にて「Ｙｅｓ」と判定するとき、ステップ６７４に進んで下流側触媒１９ｂに流入する排ガスの空燃比がリッチとなるような制御（リッチ制御）を行う。一方、ステップ６７２の実行時に、前記算出された積算値ΣCginO2UF（k）がゼロ以下であれば、ＣＰＵはステップ６７２にて「Ｎｏ」と判定してステップ６７６に進み、下流側触媒１９ｂに流入する排ガスの空燃比をリーンとするように制御（リーン制御）を行う。
【０２３８】
このように、上流側触媒１９ａと下流側触媒１９ｂとの双方に関して推定値を算出し、これらの推定値に基づいて、下流側触媒１９ｂを浄化率の高い状態に維持する空燃比制御を行うことによって、排ガスの浄化性能をより一層向上させることが可能となる。
【０２３９】
以上、説明したように、本発明の各実施形態によれば、排気浄化触媒に流入する排ガスの空燃比に基づいて、排気浄化触媒から排出される（同触媒の全部又は同触媒の一部である特定領域の一つから排出される）特定成分の排出量（或いは、排出される排ガスの状態を示す代表値）を推定し、推定した推定値に対する目標状態を設定し、この推定値が目標状態となるように空燃比制御を行う。これにより、排気浄化触媒或いは同触媒を分割した場合の特定領域（特定ブロック）から排出される特定成分の排出量（触媒又は特定領域から排出される排ガスの状態、触媒全体又は同触媒の最上流位置から特定領域までの酸素吸蔵量等で代表される触媒の状態を含む。）を所望の状態に制御でき、排気浄化性能を向上させることができる。
【符号の説明】
【０２４０】
１…エンジン、７…排気通路、１９…排気浄化触媒、２５，２６…空燃比センサ、１８…電子制御ユニット。
【図１】
2010059971.tif 000062
【図２】
2010059971.tif 000063
【図３】
2010059971.tif 000064
【図４】
2010059971.tif 000065
【図５】
2010059971.tif 000066
【図６】
2010059971.tif 000067
【図７】
2010059971.tif 000068
【図８】
2010059971.tif 000069
【図９】
2010059971.tif 000070
【図１０】
2010059971.tif 000071
【図１１】
2010059971.tif 000072
【図１２】
2010059971.tif 000073
【図１３】
2010059971.tif 000074
【図１４】
2010059971.tif 000075
【図１５】
2010059971.tif 000076
【図１６】
2010059971.tif 000077
【図１７】
2010059971.tif 000078
【図１８】
2010059971.tif 000079
【図１９】
2010059971.tif 000080
【図２０】
2010059971.tif 000081
【図２１】
2010059971.tif 000082
【図２２】
2010059971.tif 000083
【図２３】
2010059971.tif 000084
【図２４】
2010059971.tif 000085
【図２５】
2010059971.tif 000086
【図２６】
2010059971.tif 000087
【図２７】
2010059971.tif 000088
【図２８】
2010059971.tif 000089
【図２９】
2010059971.tif 000090
【図３０】
2010059971.tif 000091
【図３１】
2010059971.tif 000092
【図３２】
2010059971.tif 000093
【図３３】
2010059971.tif 000094
【図３４】
2010059971.tif 000095
【図３５】
2010059971.tif 000096
【図３６】
2010059971.tif 000097
【図３７】
2010059971.tif 000098